(57)【要約】【課題】発光素子間における露光量の差を軽減できる発光装置、並びにこれを用いたプリントヘッドおよび画像形成装置を提供する。【解決手段】点灯制御信号供給部２０３は、同時に点灯させる発光点（発光サイリスタＬ）の数（発光点数）を設定する発光点数設定信号Ｌｃｎｔを受信する。これにより、発光点数に応じて、使用する電流源ユニットＵ（Ｕ１〜Ｕ８）が設定される。そして、点灯期間信号Ｐｅｒが「Ｈ」である期間において、使用するように設定された電流源ユニットＵから電流が供給され、それらが重畳されて点灯制御信号φＪとなって、点灯信号供給回路１０１に供給される。このようにすることで、同時に点灯させる発光点（発光サイリスタＬ）の数に応じて、点灯信号φＩの電流を変化させる。【選択図】図１０
2011093162.tif 000002
【特許請求の範囲】
【請求項１】
複数のグループに分けられ、当該グループ毎に点灯が制御される発光素子が列状に配列された自己走査型発光素子アレイと、
前記グループにおいて点灯させようとする発光素子数に応じて、点灯のための電圧または電流を設定する点灯制御部と
を備えることを特徴とする発光装置。
【請求項２】
前記点灯制御部は、前記グループに属する発光素子の平均露光量に基づく露光量補正値を取得し、当該露光量補正値に基づいて、当該グループに属する発光素子の点灯期間を設定することを特徴とする請求項１に記載の発光装置。
【請求項３】
前記点灯制御部は、前記グループに属する発光素子の点灯期間終了を検知して、点灯のための電圧または電流をオフに設定することを特徴とする請求項１または２に記載の発光装置。
【請求項４】
前記点灯制御部は、前記自己走査型発光素子アレイの発光素子の露光量を点灯のための電圧または電流を設定する基準電位の変更により変更することを特徴とする請求項１ないし３のいずれか１項に記載の発光装置。
【請求項５】
前記自己走査型発光素子アレイに、点灯のための電圧または電流を、電流駆動により供給する点灯信号供給部をさらに備えることを特徴とする請求項１に記載の発光装置。
【請求項６】
前記点灯信号供給部は、カレントミラー回路で構成されていることを特徴とする請求項５に記載の発光装置。
【請求項７】
前記点灯信号供給部は、５００Ω以上の出力インピーダンスを有することを特徴とする請求項６に記載の発光装置。
【請求項８】
前記点灯信号供給部は、前記点灯制御部から当該点灯信号供給部に供給される点灯制御信号の電位の変化を検知して、前記自己走査型発光素子アレイに供給される点灯信号をオフに設定することを特徴とする請求項５ないし７のいずれか１項に記載の発光装置。
【請求項９】
複数のグループに分けられ、当該グループ毎に点灯が制御される発光素子が列状に配列された自己走査型発光素子アレイと、当該グループにおいて点灯させようとする発光素子数に応じて、点灯のための電圧または電流を設定する点灯制御部とを備える露光手段と、
前記露光手段から照射される光を像保持体上に結像させる光学手段と
を備えることを特徴とするプリントヘッド。
【請求項１０】
像保持体を帯電する帯電手段と、
複数のグループに分けられ、当該グループ毎に点灯が制御される発光素子が列状に配列された自己走査型発光素子アレイと、当該グループにおいて点灯させようとする発光素子数に応じて、点灯のための電圧または電流を設定する点灯制御部とを備える露光手段と、
前記露光手段から照射される光を前記像保持体上に結像させる光学手段と、
前記像保持体に形成された静電潜像を現像する現像手段と、
前記像保持体に現像された画像を被転写体に転写する転写手段と
を備えることを特徴とする画像形成装置。
【発明の詳細な説明】
【技術分野】
【０００１】
本発明は、発光装置、プリントヘッドおよび画像形成装置に関する。
【背景技術】
【０００２】
電子写真方式を採用した、プリンタや複写機、ファクシミリ等の画像形成装置では、一様に帯電された感光体上に、画像情報を光記録手段により照射することにより静電潜像を得た後、この静電潜像にトナーを付加して可視化し、記録紙上に転写して定着することによって画像形成が行われる。かかる光記録手段として、レーザを用い、主走査方向にレーザ光を走査させて露光する光走査方式の他、近年では、装置の小型化の要請を受けて発光素子としての発光ダイオード（ＬＥＤ：Ｌｉｇｈｔ  Ｅｍｉｔｔｉｎｇ  Ｄｉｏｄｅ）を主走査方向に多数、配列してなる、ＬＥＤプリントヘッド（ＬＰＨ：ＬＥＤ  Ｐｒｉｎｔ  Ｈｅａｄ）を用いた記録装置が採用されている。
【０００３】
特許文献１には、サイリスタによるシフト部と発光部とを備え、シフト部と発光部とを分離したタイプのダイオード結合自己走査型発光素子アレイチップにおいて、シフト部サイリスタに、接続すべき対応する発光部サイリスタを設けないことにより、複数点灯可能で、途中でデータの書込を中断できる構造の自己走査型発光素子アレイチップが記載されている。
【先行技術文献】
【特許文献】
【０００４】
【特許文献１】特開２００４−１８１７４１号公報
【発明の概要】
【発明が解決しようとする課題】
【０００５】
ところで、自己走査型発光素子アレイ（ＳＬＥＤ：Ｓｅｌｆ−ｓｃａｎｎｉｎｇ  Ｌｉｇｈｔ  Ｅｍｉｔｔｉｎｇ  Ｄｅｖｉｃｅ）を用いたＬＰＨを用いる記録装置において、複数点灯可能なＳＬＥＤチップを使用すると、発光素子間において露光量の差を生じ、画質の劣化を生じていた。
【０００６】
本発明は、発光素子間における露光量の差を軽減できる発光装置、並びにこれを用いたプリントヘッドおよび画像形成装置を提供することを目的とする。
【課題を解決するための手段】
【０００７】
請求項１に記載の発明は、複数のグループに分けられ、当該グループ毎に点灯が制御される発光素子が列状に配列された自己走査型発光素子アレイと、前記グループにおいて点灯させようとする発光素子数に応じて、点灯のための電圧または電流を設定する点灯制御部とを備えることを特徴とする発光装置である。
請求項２に記載の発明は、前記点灯制御部は、前記グループに属する発光素子の平均露光量に基づく露光量補正値を取得し、当該露光量補正値に基づいて、当該グループに属する発光素子の点灯期間を設定することを特徴とする請求項１に記載の発光装置である。
請求項３に記載の発明は、前記点灯制御部は、前記グループに属する発光素子の点灯期間終了を検知して、点灯のための電圧または電流をオフに設定することを特徴とする請求項１または２に記載の発光装置である。
請求項４に記載の発明は、前記点灯制御部は、前記自己走査型発光素子アレイの発光素子の露光量を点灯のための電圧または電流を設定する基準電位の変更により変更することを特徴とする請求項１ないし３のいずれか１項に記載の発光装置である。
【０００８】
請求項５に記載の発明は、前記自己走査型発光素子アレイに、点灯のための電圧または電流を、電流駆動により供給する点灯信号供給部をさらに備えることを特徴とする請求項１に記載の発光装置である。
請求項６に記載の発明は、前記点灯信号供給部は、カレントミラー回路で構成されていることを特徴とする請求項５に記載の発光装置である。
請求項７に記載の発明は、前記点灯信号供給部は、５００Ω以上の出力インピーダンスを有することを特徴とする請求項６に記載の発光装置である。
請求項８に記載の発明は、前記点灯信号供給部は、前記点灯制御部から当該点灯信号供給部に供給される点灯制御信号の電位の変化を検知して、前記自己走査型発光素子アレイに供給される点灯信号をオフに設定することを特徴とする請求項５ないし７のいずれか１項に記載の発光装置である。
【０００９】
請求項９に記載の発明は、複数のグループに分けられ、当該グループ毎に点灯が制御される発光素子が列状に配列された自己走査型発光素子アレイと、当該グループにおいて点灯させようとする発光素子数に応じて、点灯のための電圧または電流を設定する点灯制御部とを備える露光手段と、前記露光手段から照射される光を像保持体上に結像させる光学手段とを備えることを特徴とするプリントヘッドである。
請求項１０に記載の発明は、像保持体を帯電する帯電手段と、複数のグループに分けられ、当該グループ毎に点灯が制御される発光素子が列状に配列された自己走査型発光素子アレイと、当該グループにおいて点灯させようとする発光素子数に応じて、点灯のための電圧または電流を設定する点灯制御部とを備える露光手段と、前記露光手段から照射される光を前記像保持体上に結像させる光学手段と、前記像保持体に形成された静電潜像を現像する現像手段と、前記像保持体に現像された画像を被転写体に転写する転写手段とを備えることを特徴とする画像形成装置である。
【発明の効果】
【００１０】
請求項１の発明によれば、本構成を有していない場合に比較して、発光素子間における露光量の差を軽減できる。
請求項２の発明によれば、本構成を有していない場合に比較して、より簡便な回路構成とできる。
請求項３の発明によれば、本構成を有していない場合に比較して、より高速な露光ができる。
請求項４の発明によれば、本構成を有していない場合に比較して、より簡便に画像の濃度が調整できる。
請求項５の発明によれば、本構成を有していない場合に比較して、配線抵抗の影響を軽減できる。
請求項６の発明によれば、本構成を有していない場合に比較して、より簡便な回路構成とできる。
請求項７の発明によれば、本構成を有していない場合に比較して、配線抵抗の影響をより軽減できる。
請求項８の発明によれば、本構成を有していない場合に比較して、より高速な露光ができる。
請求項９の発明によれば、本構成を有していない場合に比較して、画質の劣化を軽減した露光ができる。
請求項１０の発明によれば、本構成を有していない場合に比較して、画質の劣化を軽減した画像形成ができる。
【図面の簡単な説明】
【００１１】
【図１】本実施の形態が適用される画像形成装置の全体構成の一例を説明するための図である。
【図２】本実施の形態が適用されるプリントヘッドの構成を説明するための図である。
【図３】発光装置の上面図である。
【図４】発光装置における発光チップと、信号発生回路および点灯信号供給回路との配線構成を説明するための図である。
【図５】発光チップの回路構成を説明するための図である。
【図６】発光チップの点灯制御の概要を説明するための図である。
【図７】グループに属する発光サイリスタの露光量をグループ単位で補正する方法を説明するための図である。
【図８】発光チップの動作を説明するためのタイミングチャートである。
【図９】発光チップの別の動作を説明するためのタイミングチャートである。
【図１０】信号発生回路の一部である点灯制御信号発生部および点灯信号供給回路を説明するための図である。
【図１１】基準電流発生部を説明するための図である。
【図１２】点灯制御信号供給部を説明するための論理回路図である。
【図１３】電流供給回路を説明するための回路図である。
【図１４】点灯信号高速化部を説明するための回路図である。
【図１５】点灯信号供給回路を説明するための回路図である。
【図１６】点灯信号供給回路の他の回路構成を説明するための回路図である。
【発明を実施するための形態】
【００１２】
以下、添付図面を参照して、本発明の実施の形態について詳細に説明する。
図１は本実施の形態が適用される画像形成装置１の全体構成の一例を説明するための図である。図１に示す画像形成装置１は、一般にタンデム型と呼ばれる画像形成装置である。この画像形成装置１は、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
【００１３】
画像形成プロセス部１０は、一定の間隔を置いて並列的に配置される複数のエンジンからなる画像形成ユニット１１を備えている。この画像形成ユニット１１は、４つの画像形成ユニット１１Ｙ、１１Ｍ、１１Ｃ、１１Ｋから構成されている。画像形成ユニット１１Ｙ、１１Ｍ、１１Ｃ、１１Ｋは、それぞれ、静電潜像を形成してトナー像を保持する像保持体の一例としての感光体ドラム１２、感光体ドラム１２の表面を予め定められた電位で一様に帯電する帯電手段の一例としての帯電器１３、帯電器１３によって帯電された感光体ドラム１２を露光するプリントヘッド１４、プリントヘッド１４によって得られた静電潜像を現像する現像手段の一例としての現像器１５を備えている。ここで、各画像形成ユニット１１Ｙ、１１Ｍ、１１Ｃ、１１Ｋは、現像器１５に収納されたトナーを除いて、略同様に構成されている。そして、画像形成ユニット１１Ｙ、１１Ｍ、１１Ｃ、１１Ｋは、それぞれがイエロー（Ｙ）、マゼンタ（Ｍ）、シアン（Ｃ）、黒（Ｋ）のトナー像を形成する。
また、画像形成プロセス部１０は、各画像形成ユニット１１Ｙ、１１Ｍ、１１Ｃ、１１Ｋの感光体ドラム１２にて形成された各色のトナー像を被転写体の一例としての記録用紙に多重転写させるために、この記録用紙を搬送する用紙搬送ベルト２１と、用紙搬送ベルト２１を駆動させるロールである駆動ロール２２と、感光体ドラム１２のトナー像を記録用紙に転写させる転写手段の一例としての転写ロール２３と、記録用紙にトナー像を定着させる定着器２４とを備えている。
【００１４】
この画像形成装置１において、画像形成プロセス部１０は、画像出力制御部３０から供給される各種の制御信号に基づいて画像形成動作を行う。そして、画像出力制御部３０による制御の下で、パーソナルコンピュータ（ＰＣ）２や画像読取装置３から受信された画像データは、画像処理部４０によって画像処理が施され、画像形成ユニット１１に供給される。そして、例えば黒（Ｋ）色の画像形成ユニット１１Ｋでは、感光体ドラム１２が矢印Ａ方向に回転しながら、帯電器１３により予め定められた電位に帯電され、画像処理部４０から供給された画像データに基づいて発光するプリントヘッド１４により露光される。これにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。同様に、画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００１５】
各画像形成ユニット１１で形成された感光体ドラム１２上の各色トナー像は、矢印Ｂ方向に移動する用紙搬送ベルト２１の移動に伴って供給された記録用紙に、転写ロール２３に印加された転写電界により、順次静電転写され、記録用紙上に各色トナーが重畳された合成トナー像が形成される。
その後、合成トナー像が静電転写された記録用紙は、定着器２４まで搬送される。定着器２４に搬送された記録用紙上の合成トナー像は、定着器２４によって熱および圧力による定着処理を受けて記録用紙上に定着され、画像形成装置１から排出される。
【００１６】
図２は、本実施の形態が適用されるプリントヘッド１４の構成を説明するための図である。このプリントヘッド１４は、ハウジング６１、複数の発光部であるＬＥＤ（本実施の形態では発光サイリスタ）を備えた発光部６３、発光部６３や発光部６３を駆動する信号発生回路１００（後述の図３参照）等を搭載する回路基板６２、発光部６３から出射された光を感光体ドラム１２表面に結像させる光学手段の一例としてのロッドレンズアレイ６４を備えている。ここでは、発光部６３、信号発生回路１００等およびこれらを搭載する回路基板６２を露光手段の一例としての発光装置６５と呼ぶ。
【００１７】
ハウジング６１は、例えば金属で形成され、回路基板６２およびロッドレンズアレイ６４を支持し、発光部６３の発光点とロッドレンズアレイ６４の焦点面とが一致するように設定されている。また、ロッドレンズアレイ６４は、感光体ドラム１２の軸方向（主走査方向）に沿って配置されている。
【００１８】
図３は、発光装置６５の上面図である。
図３に示すように、発光装置６５の発光部６３は、回路基板６２上に、４０個の発光チップＣ１〜Ｃ４０を、主走査方向に二列に向かい合わせて千鳥状に配置して構成されている。発光チップＣ１〜Ｃ４０を区別しないときは、発光チップＣまたは発光チップＣ（Ｃ１〜Ｃ４０）とする。他の用語についても同様である。
さらに、発光装置６５は、発光部６３を駆動するための駆動信号を生成する信号発生回路１００、点灯信号を供給する点灯信号供給部の一例としての点灯信号供給回路１０１を備えている。なお、本実施の形態では、一例として、点灯信号供給回路１０１は４個の発光チップＣに対して１つ設けられている（後述する図４参照）。
【００１９】
発光チップＣ（Ｃ１〜Ｃ４０）はすべて同一の構成を有している。そして、各発光チップＣ（Ｃ１〜Ｃ４０）は、後述するように、複数の発光点（発光サイリスタ）を備えている。そして、発光点（発光サイリスタ）は発光チップＣの矩形の長辺に沿って配置されている。
回路基板６２上には、奇数番号の発光チップＣ１、Ｃ３、Ｃ５、…と、偶数番号の発光チップＣ２、Ｃ４、Ｃ６、…とが、向かい合わせに配置されている。発光チップＣつなぎ目においても、発光点（発光サイリスタ）が主走査方向に対して等間隔に配置されるように、発光チップＣ１〜Ｃ４０が配置されている。
【００２０】
図４は、発光装置６５における発光チップＣ（Ｃ１〜Ｃ４０）と、信号発生回路１００および点灯信号供給回路１０１との配線構成を説明するための図である。
本実施の形態では、一例として、発光チップＣは４個を１組（群）として駆動される。すなわち、組（群）の数は１０であって、発光チップ群ＣＧ１には発光チップＣ１〜Ｃ４が含まれ、発光チップ群ＣＧ２には発光チップＣ５〜Ｃ８（図４では発光チップＣ５から発光チップＣ７までを示している。）が含まれる。同様にして、発光チップ群ＣＧ１０には発光チップＣ３７〜Ｃ４０が含まれる。なお、図４では、発光チップ群ＣＧ１とＣＧ２との一部を示している。
【００２１】
まず、信号発生回路１００と発光チップＣ（Ｃ１〜Ｃ４０）および発光チップ群ＣＧ（ＣＧ１〜ＣＧ１０）との間の配線構成について説明する。
信号発生回路１００には、図示しないが、画像出力制御部３０および画像処理部４０（図１参照）より、画像処理された画像データおよび各種の制御信号が入力される。そして、信号発生回路１００は、これらの画像データおよび各種の制御信号に基づいて、画像データの並び替えを行う。
信号発生回路１００は、発光点（発光サイリスタ）の露光量の違いを補正するための
ルックアップテーブル（ＬＵＴ）１０２を備えている。そして、各発光チップ群ＣＧ（ＣＧ１〜ＣＧ１０）に対して点灯制御信号φＪ（φＪ１〜φＪ１０）を出力する点灯制御部の一例としての点灯制御信号発生部１１０を備えている。
【００２２】
そして、信号発生回路１００は、各種の制御信号に基づき、各発光チップＣ１〜Ｃ４０に対して、第１転送信号φ１、第２転送信号φ２を出力する転送信号発生部１２０を備えている。さらに、点灯させようとする発光点を記憶するための記憶信号φｍ（φｍ１〜φｍ１０）を出力する記憶信号発生部１３０を備えている。
つまり、信号発生回路１００は、点灯制御信号φＪ（φＪ１〜φＪ１０）、記憶信号φｍ（φｍ１〜φｍ１０）、第１転送信号φ１、第２転送信号φ２を生成する。
【００２３】
回路基板６２には、各発光チップＣ（Ｃ１〜Ｃ４０）のＶｓｕｂ端子（後述する図５参照）に接続され、基準電位Ｖｓｕｂ（例えば０Ｖ）を与える電源ライン１０３が設けられている。そして、各発光チップＣ（Ｃ１〜Ｃ４０）のＶｇａ端子（後述の図５参照）に接続され、電力供給のための電源電位Ｖｇａ（例えば−３．３Ｖ）を与える電源ライン１０４が設けられている。
なお、電源ライン１０３および電源ライン１０４は、電力供給のために信号発生回路１００および点灯信号供給回路１０１にも接続されている。
【００２４】
また、回路基板６２には、信号発生回路１００の転送信号発生部１２０から発光部６３に、第１転送信号φ１、第２転送信号φ２を、それぞれ送信する第１転送信号ライン１０５、第２転送信号ライン１０６も設けられている。第１転送信号ライン１０５は、発光チップ群ＣＧ（ＣＧ１〜ＣＧ１０）毎に設けられた電流制限抵抗Ｒ１を介して、各発光チップＣ（Ｃ１〜Ｃ４０）のφ１端子（後述する図５参照）に並列に接続されている。第２転送信号ライン１０６は、発光チップ群ＣＧ（ＣＧ１〜ＣＧ１０）毎に設けられた電流制限抵抗Ｒ２を介して、各発光チップＣ（Ｃ１〜Ｃ４０）のφ２端子（後述する図５参照）に並列に接続されている。
【００２５】
回路基板６２には、信号発生回路１００の記憶信号発生部１３０から各発光チップ群ＣＧ（ＣＧ１〜ＣＧ１０）に記憶信号φｍ（φｍ１〜φｍ１０）を送信する１０本の記憶信号ライン１０７（１０７＿１〜１０７＿１０）も設けられている。各記憶信号ライン１０７（１０７＿１〜１０７＿１０）は、各発光チップ群ＣＧ（ＣＧ１〜ＣＧ１０）に属する発光チップＣのφｍ端子（後述する図５参照）に並列に接続されている。
そして、回路基板６２には、信号発生回路１００の点灯制御信号発生部１１０から各発光チップ群ＣＧ（ＣＧ１〜ＣＧ１０）に点灯制御信号φＪ（φＪ１〜φＪ１０）を送信する１０本の点灯制御信号ライン１０８（１０８＿１〜１０８＿１０）も設けられている。そして、各点灯制御信号ライン１０８（１０８＿１〜１０８＿１０）は、発光チップ群ＣＧ（ＣＧ１〜ＣＧ１０）毎に設けられた点灯信号供給回路１０１（後述する図１０参照）に接続されている。
さらに、各点灯信号供給回路１０１（後述する図１０参照）から、各組（群）の発光チップＣに組（群）に対応する点灯信号φＩ（φＩ１〜φＩ１０）を送信する１０本の点灯信号ライン１０９（１０９＿１〜１０９＿１０）が設けられている。
【００２６】
次に、発光チップＣ（Ｃ１〜Ｃ４０）間および発光チップ群ＣＧ（ＣＧ１〜ＣＧ１０）間の配線構成について説明する。
各発光チップＣ（Ｃ１〜Ｃ４０）は、ＳＩＮ端子、φ１端子、φ２端子、φＩ端子、ＳＯＵ端子、Ｖｇａ端子、φｍ端子、Ｖｓｕｂ端子の８個の端子を備えている。
前述したように、各発光チップＣのＶｓｕｂ端子は電源ライン１０３に接続され、基準電位Ｖｓｕｂが与えられる。Ｖｇａ端子は電源ライン１０４に接続され、電源電位Ｖｇａが与えられる。
【００２７】
各発光チップＣのφ１端子は組（群）毎に集線され、電流制限抵抗Ｒ１の一方の端子に接続されている。そして、電流制限抵抗Ｒ１の他方の端子が、第１転送信号φ１を送信する第１転送信号ライン１０５に接続されている。
各発光チップＣのφ２端子は組（群）毎に集線され、電流制限抵抗Ｒ２の一方の端子に接続されている。そして、電流制限抵抗Ｒ２の他方の端子が、第１転送信号φ１を送信する第２転送信号ライン１０６に接続されている。
【００２８】
各発光チップＣのφｍ端子は組（群）毎に集線され、記憶信号φｍ（φｍ１〜φｍ１０）を送信する記憶信号ライン１０７（１０７＿１〜１０７＿１０）に接続されている。
各発光チップＣのφＩ端子は組（群）毎に点灯信号ライン１０９（１０９＿１〜１０９＿１０）に集線され、発光チップ群ＣＧ（ＣＧ１〜ＣＧ１０）毎に設けられた、点灯信号φＩ（φＩ１〜φＩ１０）を送信する点灯信号供給回路１０１に接続されている。
【００２９】
ここで、ＳＩＮ端子およびＳＯＵ端子について説明する。発光チップ群ＣＧ１（発光チップＣ１〜Ｃ４）についてみると、発光チップＣ１のＳＩＮ端子は、φ２端子と接続されて、第２転送信号φ２が供給される。発光チップＣ１のＳＯＵ端子は、発光チップＣ２のＳＩＮ端子に接続されている。そして、発光チップＣ２のＳＯＵ端子は、発光チップＣ３のＳＩＮ端子に接続さている。さらに、発光チップＣ３のＳＯＵ端子は、発光チップＣ４のＳＩＮ端子に接続さている。発光チップＣ４のＳＯＵ端子は、接続されていない。
このように、４つの発光チップＣ１〜Ｃ４が、前の発光チップＣのＳＯＵ端子と次の発光チップＣのＳＩＮ端子とが順に接続されることで、連結されている。すなわち、ＳＩＮ端子とＳＯＵ端子とは、複数の発光チップＣを連結するための端子である。
【００３０】
一方、発光チップ群ＣＧ２（発光チップＣ５〜Ｃ８）についてみると、発光チップ群ＣＧ１（発光チップＣ１〜Ｃ４）とは逆に、大きい番号の発光チップＣ８から発光チップＣ５へと接続されるようになっている。すなわち、発光チップＣ８のＳＩＮ端子は、φ２端子と接続されて、第２転送信号φ２が供給される（不図示）。発光チップＣ８のＳＯＵ端子は、発光チップＣ７のＳＩＮ端子に接続されている（不図示）。そして、発光チップＣ７のＳＯＵ端子は、発光チップＣ６のＳＩＮ端子に接続さている（不図示）。さらに、発光チップＣ６のＳＯＵ端子は、発光チップＣ５のＳＩＮ端子に接続さている。発光チップＣ５のＳＯＵ端子は、接続されていない。
【００３１】
発光チップ群ＣＧ１においてＳＩＮ端子およびＳＯＵ端子により順繰りに接続された最後の発光チップＣ４と、隣接する発光チップ群ＣＧ２に属する発光チップＣ５とは、図３に示したように、向かい合わせて配置しているため、発光点（発光サイリスタ）の走査の方向（後述する図５参照）が逆になっている。つまり、図３において、発光チップＣ４の発光点（発光サイリスタ）は左から右へと走査され、発光チップＣ５の発光点（発光サイリスタ）は、右から左へと走査される。よって、発光チップＣ４と発光チップＣ５との境界部分の発光点（発光サイリスタ）の点灯（発光）タイミングがずれると、発光チップＣ４と発光チップＣ５との境界部分に形成された画像において、副走査方向（図３参照）に位置ずれが生じる。これにより、発光チップＣ４と発光チップＣ５との境界に副走査方向に沿った筋状のムラが生じてしまう。
【００３２】
そこで、上記したように接続することで、発光チップＣ４と発光チップＣ５との点灯（発光）タイミングを合わせて、発光チップＣ４と発光チップＣ５との境界部分に形成された画像の副走査方向（図３参照）の位置ずれを抑制して、画質の向上を図っている。
他の発光チップ群ＣＧ３〜ＣＧ１０についても同様である。
【００３３】
なお、発光チップ群ＣＧ１における発光チップＣ１と発光チップＣ２との間、発光チップＣ２と発光チップＣ３との間、発光チップＣ３と発光チップＣ４との間においても、図３に示したように向かい合わせて配置しているため、発光点（発光サイリスタ）の走査の方向がそれぞれで逆になる。このため、それぞれの発光チップＣの境界においても、上述と同様に、副走査方向に位置ずれが生じてしまう。そこで、これまで説明してきた発光チップＣの構成を有する発光チップＣＡと、発光チップＣＡをチップの長辺で反転した構成の発光チップＣＢとの２種類を用いて、発光部６３を構成すると、発光チップＣの境界における副走査方向の位置ずれを抑制するので好ましい。
すなわち、発光チップＣＡを図３の発光チップＣ１に使用すると、発光チップＣ１の発光点（発光サイリスタ）は、発光チップＣ１の長辺に沿って上側（図３、図４において）に配列され、左から右へと点灯が制御される。そして、発光チップＣＢを発光チップＣ２に使用すると、発光チップＣ２の発光点（発光サイリスタ）は、発光チップＣ２の長辺に沿って下側（図３、図４において）に配列され、左から右へ（図３、図４において）と点灯が制御される。この結果、発光チップＣ１と発光チップＣ２との間において、発光チップＣ１の右端の発光点から発光チップＣ２の左端の発光点へと点灯が引き続いて制御されるので、副走査方向の位置ずれを抑制するので好ましい。同様に、発光チップＣ３には発光チップＣＡを、発光チップＣ４には発光チップＣＢを用いればよい。
一方、発光チップ群ＣＧ２の発光チップＣ５、Ｃ６、Ｃ７、Ｃ８については、発光チップ群ＣＧ１の発光チップとは逆に、発光チップＣ５、Ｃ７に発光チップＣＢを、発光チップＣ６、Ｃ８に発光チップＣＡを用いる。これにより、発光チップＣ８（不図示）の右端の発光点から順に、発光チップＣ５の左端の発光点へと点灯制御される。
このように、２つの発光チップ群ＣＧを組にして、発光チップＣＡと発光チップＣＢとを振り分けていくことにより、副走査方向の位置ずれをより抑制しうる。
なお、発光チップＣＢは、発光チップＣＡをチップの長辺で反転した構成であって、発光チップＣＡと同様に動作するので、以下では、発光チップＣＡと発光チップＣＢとを区別しないで、発光チップＣと呼ぶ。
【００３４】
このように、複数の発光チップＣを連結し、組（群）を構成することにより、組（群）毎に点灯制御信号φＪおよび点灯信号φＩをそれぞれ１つにし、点灯制御信号ライン１０８および点灯信号ライン１０９のそれぞれの数を、発光チップＣの数（４０）より少ない数（１０）に抑制している。
【００３５】
以上説明したように、発光装置６５のすべての発光チップＣ（Ｃ１〜Ｃ４０）には、基準電位Ｖｓｕｂと電源電位Ｖｇａが共通に供給されるとともに、第１転送信号φ１および第２転送信号φ２とが共通に送信される。一方、同じ組（群）の発光チップＣに対しては、共通の点灯信号φＩおよび記憶信号φｍが送信され、異なる組（群）の発光チップＣに対しては、異なる点灯信号φＩおよび記憶信号φｍが送信される。
後述するように、同じ組（群）に属する発光チップＣは、属する発光チップＣの発光点が順番に点灯（発光）するように制御される。また、異なる組（群）に属する発光チップＣの発光点は、並行して点灯（発光）するように制御される。
例えば、発光チップ群ＣＧ１に属する発光チップＣ１と発光チップＣ２とは、発光チップＣ１の発光点の点灯（発光）制御ののち、発光チップＣ２の発光点の点灯（発光）制御が行われる。一方、発光チップ群ＣＧ１に属する発光チップＣ１と、発光チップ群ＣＧ２に属する発光チップＣ８とは、それぞれの発光点が並行して点灯（発光）制御が行われる。なお、発光チップＣの発光点を点灯／消灯させる一連の操作を点灯制御と呼ぶ。
【００３６】
図５は、自己走査型発光素子アレイ（ＳＬＥＤ）チップである発光チップＣの回路構成を説明するための図である。なお、ここでは、発光チップＣ１を例として説明を行うが、他の発光チップＣ２〜Ｃ４０も発光チップＣ１と同じ構成を有している。
【００３７】
発光チップＣ１（Ｃ）は、基板８０上に主走査方向に列状に配列された転送サイリスタＴ１、Ｔ２、…、Ｔ１２８なる転送サイリスタ列（スイッチ素子列）、同様に主走査方向に列状に配列された記憶サイリスタＭ１、Ｍ２、…、Ｍ１２８なる記憶サイリスタ列、同様に主走査方向に列状に配列された発光素子の一例としての発光サイリスタＬ１、Ｌ２、…、Ｌ１２８からなる発光サイリスタ列（発光素子列）を備えている。
ここでは、転送サイリスタＴ１、Ｔ２、…、Ｔ１２８をそれぞれ区別しないときは、転送サイリスタＴと呼ぶ。同様に、記憶サイリスタＭ１、Ｍ２、…、Ｍ１２８をそれぞれ区別しないときは記憶サイリスタＭ、発光サイリスタＬ１、Ｌ２、…、Ｌ１２８をそれぞれ区別しないときは発光サイリスタＬと呼ぶ。
なお、上記のサイリスタ（転送サイリスタＴ、記憶サイリスタＭ、発光サイリスタＬ）とは、アノード端子、カソード端子、ゲート端子の３端子を有する半導体素子である。
【００３８】
また、発光チップＣ１（Ｃ）は、転送サイリスタＴ１、Ｔ２、…、Ｔ１２８をそれぞれ番号順に２つをペアにしてそれぞれの間を接続する結合ダイオードＤｃ１、Ｄｃ２、…、Ｄｃ１２７を備えている。さらに、接続ダイオードＤｍ１、Ｄｍ２、…、Ｄｍ１２８を備えている。
そして、電源線抵抗Ｒｔ１、Ｒｔ２、…、Ｒｔ１２８、電源線抵抗Ｒｍ１、Ｒｍ２、…、Ｒｍ１２８、抵抗Ｒｎ１、Ｒｎ２、…、Ｒｎ１２８を備えている。
ここで、転送サイリスタＴなどと同様に、結合ダイオードＤｃ１、Ｄｃ２、…、Ｄｃ１２７、接続ダイオードＤｍ１、Ｄｍ２、…、Ｄｍ１２８、電源線抵抗Ｒｔ１、Ｒｔ２、…、Ｒｔ１２８、電源線抵抗Ｒｍ１、Ｒｍ２、…、Ｒｍ１２８、抵抗Ｒｎ１、Ｒｎ２、…、Ｒｎ１２８をそれぞれ区別しないときは、結合ダイオードＤｃ、接続ダイオードＤｍ、電源線抵抗Ｒｔ、電源線抵抗Ｒｍ、抵抗Ｒｎと呼ぶ。
ここでは、一例として、転送サイリスタ列における転送サイリスタＴの数を１２８個としている。記憶サイリスタＭ、発光サイリスタＬのそれぞれの数も１２８個である。同様に、接続ダイオードＤｍ、電源線抵抗Ｒｔ、Ｒｍ、抵抗Ｒｎの数も１２８個である。しかし、結合ダイオードＤｃの数は、転送サイリスタＴの数より１少ない１２７個である。
さらに、発光チップＣ１（Ｃ）は、１個のスタートダイオードＤｓを備えている。
【００３９】
なお、転送サイリスタＴ１、Ｔ２、…、Ｔ１２８は、図５中において、左側からＴ１、Ｔ２、…、Ｔ１２８のように番号順で配列されている。また、記憶サイリスタＭ１、Ｍ２、…、Ｍ１２８および発光サイリスタＬ１、Ｌ２、…、Ｌ１２８も、同様に、図中左側から番号順で配列されている。さらに、結合ダイオードＤｃ１、Ｄｃ２、…、Ｄｃ１２７、接続ダイオードＤｍ１、Ｄｍ２、…、Ｄｍ１２８、電源線抵抗Ｒｔ１、Ｒｔ２、…、Ｒｔ１２８、電源線抵抗Ｒｍ１、Ｒｍ２、…、Ｒｍ１２８、抵抗Ｒｎ１、Ｒｎ２、…Ｒｎ１２８も、同様に、図中左側から番号順で配列されている。
【００４０】
では次に、発光チップＣ１（Ｃ）における各素子の電気的な接続について説明する。
各転送サイリスタＴ１、Ｔ２、…、Ｔ１２８のアノード端子、各記憶サイリスタＭ１、Ｍ２、…、Ｍ１２８のアノード端子、各発光サイリスタＬ１、Ｌ２、…、Ｌ１２８のアノード端子は、発光チップＣ１（Ｃ）の基板８０に接続されている（アノードコモン）。そして、これらのアノード端子は、基板８０に設けられたＶｓｕｂ端子を介して電源ライン１０３（図４参照）に接続されている。この電源ライン１０３には、基準電位Ｖｓｕｂが供給される。
そして、各転送サイリスタＴ１、Ｔ２、…、Ｔ１２８のゲート端子Ｇｔ１、Ｇｔ２、…、Ｇｔ１２８は、各転送サイリスタＴ１、Ｔ２、…、Ｔ１２８に対応して設けられた電源線抵抗Ｒｔ１、Ｒｔ２、…、Ｒｔ１２８をそれぞれ介して電源線７１に接続されている。そして、電源線７１はＶｇａ端子に接続されている。Ｖｇａ端子は電源ライン１０４（図４参照）に接続されて、電源電位Ｖｇａが供給される。
【００４１】
転送サイリスタＴ１から始まって、転送サイリスタ列に沿って、奇数番目の転送サイリスタＴ１、Ｔ３、…、Ｔ１２７のカソード端子は、第１転送信号線７２に接続されている。そして、第１転送信号線７２は、第１転送信号φ１の入力端子であるφ１端子に接続されている。このφ１端子は、電流制限抵抗Ｒ１を介して第１転送信号ライン１０５（図４参照）に接続され、第１転送信号φ１が供給される。
一方、転送サイリスタ列に沿って、偶数番目の転送サイリスタＴ２、Ｔ４、…、Ｔ１２８のカソード端子は、第２転送信号線７３に接続されている。そして、第２転送信号線７３は、第２転送信号φ２の入力端子であるφ２端子に接続されている。このφ２端子は、電流制限抵抗Ｒ２を介して第２転送信号ライン１０６（図４参照）に接続され、第２転送信号φ２が供給される。
各記憶サイリスタＭ１、Ｍ２、…、Ｍ１２８のカソード端子は、それぞれに対応して設けられた抵抗Ｒｎ１、Ｒｎ２、…、Ｒｎ１２８を介して、記憶信号線７４に接続されている。そして、記憶信号線７４は、記憶信号φｍの入力端子であるφｍ端子に接続されている。このφｍ端子は、記憶信号ライン１０７（発光チップＣ１の場合は記憶信号ライン１０７＿１）（図４参照）に接続され、記憶信号φｍ１が供給される。
【００４２】
そして、各転送サイリスタＴ１、Ｔ２、…、Ｔ１２８のゲート端子Ｇｔ１、Ｇｔ２、…、Ｇｔ１２８は、同じ番号の記憶サイリスタＭ１、Ｍ２、…、Ｍ１２８のゲート端子Ｇｍ１、Ｇｍ２、…、Ｇｍ１２８に、１対１で、それぞれ接続ダイオードＤｍ１、Ｄｍ２、…、Ｄｍ１２８を介して接続されている。すなわち、接続ダイオードＤｍ１、Ｄｍ２、…、Ｄｍ１２８のアノード端子は、各転送サイリスタＴ１、Ｔ２、…、Ｔ１２８のゲート端子Ｇｔ１、Ｇｔ２、…、Ｇｔ１２８に接続され、接続ダイオードＤｍ１、Ｄｍ２、…、Ｄｍ１２８のカソード端子は、記憶サイリスタＭ１、Ｍ２、…、Ｍ１２８のゲート端子Ｇｍ１、Ｇｍ２、…、Ｇｍ１２８に接続されている。
ここでも、ゲート端子Ｇｔ１、Ｇｔ２、…、Ｇｔ１２８およびゲート端子Ｇｍ１、Ｇｍ２、…、Ｇｍ１２８を区別しないときは、それぞれゲート端子Ｇｔ、ゲート端子Ｇｍと呼ぶ。
接続ダイオードＤｍは、転送サイリスタＴのゲート端子Ｇｔから、記憶サイリスタＭのゲート端子Ｇｍに電流が流れる方向で接続されている。
【００４３】
また、各記憶サイリスタＭ１、Ｍ２、…、Ｍ１２８のゲート端子Ｇｍ１、Ｇｍ２、…、Ｇｍ１２８は、各記憶サイリスタＭ１、Ｍ２、…、Ｍ１２８に対応して設けられた電源線抵抗Ｒｍ１、Ｒｍ２、…、Ｒｍ１２８をそれぞれ介して電源線７１に接続されている。
【００４４】
転送サイリスタＴ１、Ｔ２、…、Ｔ１２８のそれぞれのゲート端子Ｇｔ１、Ｇｔ２、…、Ｇｔ１２８を番号順に２個ずつペアとしたゲート端子Ｇｔ間に、結合ダイオードＤｃ１、Ｄｃ２、…、Ｄｃ１２７がそれぞれ接続されている。すなわち、各結合ダイオードＤｃ１、Ｄｃ２、…、Ｄｃ１２７はそれぞれがゲート端子Ｇｔ１、Ｇｔ２、…、Ｇｔ１２８を順に挟むように直列接続されている。そして、結合ダイオードＤｃ１の向きは、ゲート端子Ｇｔ１からゲート端子Ｇｔ２に向かって電流が流れる方向に接続されている。他の結合ダイオードＤｃ２、Ｄｃ３、…、Ｄｃ１２７についても同様である。
【００４５】
発光サイリスタＬ１、Ｌ２、…、Ｌ１２８のカソード端子は、それぞれが点灯信号線７５に接続され、φＩ端子に接続されている。このφＩ端子は、点灯信号ライン１０９（発光チップＣ１の場合は点灯信号ライン１０９＿１）（図４参照）に接続され、点灯信号φＩ（発光チップＣ１の場合は点灯信号φＩ１）（図４参照）が供給される。なお、他の発光チップＣ２〜Ｃ４０のφＩ端子には、組（群）毎にそれぞれ点灯信号φＩ１〜φＩ１０が供給される。
そして、各発光サイリスタＬ１、Ｌ２、…、Ｌ１２８のゲート端子Ｇｌ１、Ｇｌ２、…、Ｇｌ１２８は、同じ番号の記憶サイリスタＭ１、Ｍ２、…、Ｍ１２８のゲート端子Ｇｍ１、Ｇｍ２、…、Ｇｍ１２８に、１対１で接続されている。
【００４６】
さらに、転送サイリスタ列の一端側の転送サイリスタＴ１のゲート端子Ｇｔ１は、スタートダイオードＤｓのカソード端子と接続されている。一方、スタートダイオードＤｓのアノード端子は、ＳＩＮ端子に接続されている。
一方、転送サイリスタ列の他端側の転送サイリスタＴ１２８のゲート端子Ｇｔ１２８は、ＳＯＵ端子に接続されている。
【００４７】
図４に示したように、発光チップ群ＣＧ１においては、発光チップＣ１のＳＯＵ端子と発光チップＣ２のＳＩＮ端子とが接続されている。発光チップＣ１のＳＯＵ端子は、ゲート端子Ｇｔ１２８に接続されている。発光チップＣ２のＳＩＮ端子は、スタートダイオードＤｓのアノード端子に接続されている。スタートダイオードＤｓは、接続ダイオードＤｃと同様な構造、特性を有している。よって、発光チップＣ１のＳＯＵ端子と発光チップＣ２のＳＩＮ端子とを接続するということは、発光チップＣ１の転送サイリスタＴ１２８の後に、発光チップＣ２の転送サイリスタＴ１を発光チップＣ１の転送サイリスタＴ１２９として接続することになる。すなわち、発光チップＣ１と発光チップＣ２とで、２５６（＝１２８×２）の転送サイリスタ列、記憶サイリスタ列、発光サイリスタ列としたことになる。
同様に、発光チップＣ１から発光チップＣ４の４個で、５１２（＝１２８×４）の転送サイリスタ列、記憶サイリスタ列、発光サイリスタ列としたと同じになる。
他の発光チップ群ＣＧ（ＣＧ２〜ＣＧ１０）についても同様である。
【００４８】
次に、発光装置６５の動作について説明する。
発光装置６５の発光部６３を構成するすべての発光チップＣ（Ｃ１〜Ｃ４０）には、図４に示したように、基準電位Ｖｓｕｂと電源電位Ｖｇａが共通に供給されるとともに、第１転送信号φ１および第２転送信号φ２とが共通に送信される。一方、同じ組（群）の発光チップＣに対しては、共通の点灯信号φＩおよび記憶信号φｍが送信され、異なる組（群）の発光チップＣに対しては、異なる点灯信号φＩおよび記憶信号φｍが送信される。そして、前述したように、同じ組（群）に属する発光チップＣは、発光チップＣの番号順に連結された一つの発光チップと同様の状態になっている。
そして、後述するように、同じ組（群）に属する発光チップＣは、ＳＯＵ端子からＳＩＮ端子へと接続された順に、点灯制御が行われる。そして、異なる組（群）に属する発光チップＣは、並行して点灯制御が行われる。
例えば、発光チップ群ＣＧ１に属する発光チップＣ１と発光チップＣ２とは、発光チップＣ１の発光点の点灯制御が行われたのち、発光チップＣ２の発光点の点灯制御が行われる。一方、発光チップ群ＣＧ１に属する発光チップＣ１と、発光チップ群ＣＧ２に属する発光チップＣ８とは、並行して点灯制御が行われる。
【００４９】
以上のことから、発光装置６５の発光部６３の動作は、発光チップＣ１の動作を説明すれば足りる。そこで、発光チップＣ１を例に取って、発光チップＣの動作を説明する。
図６は、発光チップＣ１（Ｃ）の点灯制御の概要を説明するための図である。
本実施の形態では、発光チップＣ１（Ｃ）において、発光点（発光サイリスタＬ）を予め定められた数毎にグループに分けて点灯させる。ここでの点灯制御では、第１段階として、点灯させようとする発光サイリスタＬの位置（番号）を順に記憶（ラッチ）させる。そして、第２段階として、点灯信号φＩの供給により、これらの記憶した発光サイリスタＬを点灯（発光）させている。点灯させる発光点の数は、グループに含まれる数を最大値としてそれ以下の整数となる。
【００５０】
図６（ａ）は、最大４個の発光サイリスタＬが同時に発光する場合を示している。まず、図中において、発光チップＣ１（Ｃ）の左端から＃Ａで示す４個の発光サイリスタＬ１〜Ｌ４をグループとして点灯制御する（後述する図８における期間Ｔ（＃Ａ））。次に、隣接する＃Ｂの４個の発光サイリスタＬ５〜Ｌ８をグループとして点灯制御する（同じく後述する図８に示す期間Ｔ（＃Ｂ））。次は＃Ｃで示す４個の発光サイリスタＬ９〜Ｌ１２をグループとして点灯制御する。以下順に、＃Ｄの４個の発光サイリスタＬ１３〜Ｌ１６の発光サイリスタＬをグループとして点灯制御する。
すなわち、本実施の形態では、＃Ａ、＃Ｂ、…の順に、時系列的に点灯制御が行われるとともに、＃Ａ、＃Ｂ、…のそれぞれの組において、上記の第２段階で、複数の発光サイリスタＬを同時に点灯させている。なお、画像データによっては、同時に点灯させる発光サイリスタＬの数が単数または０の場合もある。
なお、本実施の形態において、複数の発光サイリスタＬを同時に点灯させるとは、点灯信号φＩの供給（さらに具体的にいうと、後述するように、一つのタイミングにおける「Ｈ」から「Ｌｅ」への変化）により、複数の発光サイリスタＬを点灯させることをいう。
【００５１】
図６（ｂ）は、最大８個の発光サイリスタＬが同時に発光する場合を示している。まず、図中において、発光チップＣ１（Ｃ）の左端から＃Ａで示す８個の発光サイリスタＬ１〜Ｌ８をグループとして点灯制御する（図９に示す期間Ｔ（＃Ａ））。次に、隣接する＃Ｂの８個の発光サイリスタＬ９〜Ｌ１６をグループとして点灯制御する（図９に示す期間Ｔ（＃Ｂ））。以下順に、＃Ｃで示すグループを点灯制御する。
図６（ｂ）の点灯制御は、＃Ａ、＃Ｂ、…のそれぞれの組で点灯制御が行われる発光点の数が異なるが、図６（ａ）と同様に、＃Ａ、＃Ｂ、…の順に、時系列的に点灯制御が行われるとともに、＃Ａ、＃Ｂ、…のそれぞれの組において、上記の第２段階では、複数の発光サイリスタＬを同時に点灯させている。なお、画像データによっては、同時に点灯させる発光サイリスタＬの数が単数または０の場合もある。
【００５２】
発光チップＣにおいて、発光サイリスタＬ毎に発光量（露光量）が異なることがありうる。そこで、グループ毎に発光サイリスタＬの平均露光量を求め、予め定められた基準となる露光量（基準露光量）との差や、割合等の露光量補正値（補正値）をＬＵＴ１０２に記憶させておき、露光量を補正するのに用いている。
すなわち、発光サイリスタＬの間隔が、人の目が識別できない程度の空間周波数（分解能）である場合には、人の目は個々の発光サイリスタＬの露光量の差を認識（分解）できない。よって、発光サイリスタＬ毎に露光量を補正する必要はなく、グループ毎に補正すれば足りる。例えば、グループに属する発光サイリスタＬの露光量が基準露光量の９０％である場合には、グループに属する各発光サイリスタＬの露光量を、１０／９倍（補正値）とすればよい。
【００５３】
図７は、グループに属する発光サイリスタＬの露光量をグループ単位で補正する方法を説明するための図である。本実施の形態では、電流源（電流源ユニットＵ）を用いて、発光サイリスタＬに発光のための電流を供給する。なお、電流を引き込むことがあるが、ここでは、電流を供給する場合と電流を引き込む場合とをまとめて電流を供給すると呼ぶ。
電流源ユニットＵとは、予め定められた電流を供給することができる電源である。電流源ユニットＵは、後述するように、複数のＭＯＳトランジスタを組み合わせて構成されたカレントミラー回路等により構成できる。ＭＯＳトランジスタでは、ゲート端子に加えられた電圧（ゲート電圧）によってＭＯＳトランジスタに流れる電流が制御される。よって、カレントミラー回路等からなる電流源ユニットＵにおいても、ＭＯＳトランジスタのゲート端子に加えられる電圧（制御電圧）によって、供給する電流が制御されるようになっている。そして、制御電圧を細かく変化させれば、電流源ユニットＵが供給する電流を細かく変化させることができるようになっている。なお、複数の電流源ユニットＵがあって、それらを区別するときは電流源ユニットＵ１、Ｕ２、…と呼ぶ。
【００５４】
図７（ａ）は、発光装置６５の発光部６３を構成する発光点（発光サイリスタＬ）の数（ここではｎ個とする。）と同数の電流源ユニットＵ（Ｕ１〜Ｕｎ）を設ける方式（方式１）を説明する図である。
発光部６３を構成する各発光点の露光量は前もって測定されており、基準露光量に対する補正値がＬＵＴ１０２に保持されているとする。
各電流源ユニットＵ１〜Ｕｎには、各発光点が補正した露光量となるように電流を設定する制御電圧１〜制御電圧ｎが供給されている。さらに、各電流源ユニットＵ１〜Ｕｎは、それぞれに対応して設けられたスイッチＳＷ１〜ＳＷｎを介して電流供給端子Ｏに集線されている。
例えばグループ＃Ａに属する発光サイリスタＬ１〜Ｌ８をすべて点灯させるときは、図７（ａ）の右側に示すタイムチャートの時刻ｔＡにおいて、電流源ユニットＵ１〜Ｕ８に対応するスイッチＳＷ１〜ＳＷ８をオンにする。これにより、発光サイリスタＬ１〜Ｌ８のそれぞれに流す電流の和が電流供給端子Ｏから供給される。なお、電流源ユニットＵ１〜Ｕ８は、それぞれが発光サイリスタＬ１〜Ｌ８に対応して、ＬＵＴ１０２に保持された補正値で補正された露光量となるように電流値を出力するが、電流供給端子Ｏからは、それらの電流の和が出力される。
次に、発光サイリスタＬ１〜Ｌ８に流す電流をオフにした後、例えばグループ＃Ｂに属する発光サイリスタＬ９、Ｌ１２、Ｌ１５を点灯させるときは、時刻ｔＢにおいて、電流源ユニットＵ９、Ｕ１２、Ｕ１５に対応するスイッチＳＷ９、ＳＷ１２、ＳＷ１５をオンにする。これにより、発光サイリスタＬ９、Ｌ１２、Ｌ１５のそれぞれに流す電流の和が電流供給端子Ｏから出力される。
そして、各発光点（発光サイリスタＬ）の時刻ｔＡから始まる点灯期間Ｔｏｎ（＃Ａ）、時刻ｔＢから始まる点灯期間Ｔｏｎ（＃Ｂ）等は同じである。
このようにすることで、グループ単位で発光サイリスタＬの露光量を補正しうる。
【００５５】
方式１では、電流源ユニットＵ１〜Ｕｎから出力される電流をスイッチＳＷ１〜ＳＷｎのオン／オフにより切り替えるため、電流供給端子Ｏから出力される電流の切り替えが高速に行える。しかし、発光部６３の発光点（発光サイリスタＬ）の数（ｎ個）と同数の電流源ユニットＵ１〜Ｕｎを設けることになるため、回路規模が大きくなってしまう。
【００５６】
図７（ｂ）は、電流源ユニットＵの制御電圧を発光点（発光サイリスタＬ）の露光量に合わせて切り替える方式（方式２）を説明する図である。
方式１と同様に、発光部６３を構成する各発光点の露光量は前もって測定されており、基準露光量に対する補正値がＬＵＴ１０２に保持されているとする。
ここでは、同時に点灯させる発光点の数と同じ数の電流源ユニットＵ、例えば最大８個の発光サイリスタＬが同時に発光する場合には、８個の電流源ユニットＵ１〜Ｕ８を設ける。そして、制御電圧１〜制御電圧８としては、同時に点灯する発光点がそれぞれ補正した露光量となるように制御電圧が印加される。なお、スイッチ（図７（ａ）のスイッチＳＷ１〜ＳＷ８）は設けなくともよい。
例えば、グループ＃Ａに属する発光サイリスタＬ１〜Ｌ８を点灯させるときは、図７（ｂ）の右側に示すタイムチャートの時刻ｔＡにおいて、電流源ユニットＵ１〜Ｕ８にそれぞれの制御電圧１〜制御電圧８が印加される。すなわち、電流源ユニットＵ１の制御電圧１として、ＬＵＴ１０２に保持された補正値に基づいて、発光サイリスタＬ１が補正された露光量となる電圧を印加する。電流源ユニットＵ２の制御電圧２として、発光サイリスタＬ２が補正された露光量となる電圧を印加する。同様に、電流源ユニットＵ３〜Ｕ８の制御電圧３〜８に対して、発光サイリスタＬ３〜Ｌ８の補正された露光量となる電圧を印加する。すると、発光サイリスタＬ１〜Ｌ８のそれぞれに流す電流の和が電流供給端子Ｏから出力される。
次に、発光サイリスタＬ１〜Ｌ８に流す電流をオフにした後、例えばグループ＃Ｂに属する発光サイリスタＬ９、Ｌ１２、Ｌ１５を点灯させるときは、時刻ｔＢにおいて、電流源ユニットＵ１、Ｕ４、Ｕ７に制御電圧１、制御電圧４、制御電圧７を印加する。このとき、電流源ユニット１の制御電圧１として、ＬＵＴ１０２に保持された補正値に基づいて、発光サイリスタＬ９が補正された露光量となる電圧を印加する。電流源ユニットＵ４の制御電圧４として、発光サイリスタＬ１２が補正された露光量となる電圧を印加する。同様に、電流源ユニットＵ７の制御電圧７として、発光サイリスタＬ１５が補正された露光量となる電圧を印なする。発光サイリスタＬ９、Ｌ１２、Ｌ１５のそれぞれに流す電流の和が電流供給端子Ｏから出力される。
そして、各発光点（発光サイリスタＬ）の時刻ｔＡから始まる点灯期間Ｔｏｎ（＃Ａ）、時刻ｔＢから始まる点灯期間Ｔｏｎ（＃Ｂ）等は同じである。
このように、方式２では、制御電圧１〜制御電圧８に設定する電圧を切り替えている。
方式２においても、グループ単位で発光サイリスタＬの露光量を補正しうる。
【００５７】
方式２では、電流源ユニットＵの数を同時に点灯させる発光サイリスタＬの数と同じとしているので、電流源ユニットＵの数が方式１に比べ少ない。さらに、方式２では、電流源ユニットＵの数を減らしてもよい。例えば、８個の発光サイリスタＬを同時に点灯するとき、電流源ユニットＵが４個（電流源ユニットＵ１〜Ｕ４）であってもよい。制御電圧１を、発光サイリスタＬ１およびＬ２がそれぞれ補正された露光量となる電流の和を供給できる電圧に設定すればよい。同様に、制御電圧２を、発光サイリスタＬ３およびＬ４がそれぞれ補正された露光量となる電流の和を供給できる電圧に設定すればよい。他の電流源ユニットＵ３およびＵ４についても同様である。なお、このときの発光サイリスタＬの組み合わせを変更してもよい。
さらに、方式２では、電流源ユニットＵの数を１（電流源ユニットＵ１）としてもよい。電流グループ＃Ａに属する発光サイリスタＬ１〜Ｌ８をすべて点灯させるときは、制御電圧１を、発光サイリスタＬ１〜Ｌ８がそれぞれ補正された露光量となる電流の和を供給できる電圧に設定すればよい。
【００５８】
方式２は、電流源ユニットＵの数が同時に点灯させる発光点の数またはそれ以下の数（１でもよい）でよいので、電流源ユニットＵの数が少なくてすむ。しかし、制御電圧を切り替えているので、電流源ユニットＵから出力される電流と制御電圧との関係を予め求めておく必要がある。そして、発光サイリスタＬの露光量を補正するには、制御電圧を細かく設定することが必要となる。制御電圧を高速且つ細かく制御するためには、複数の異なる電圧を供給する回路（バッファ回路）を多数設け、切り替えて行うことになる。特に、ＭＯＳトランジスタ回路において複数の異なる電圧を発生させようとすると、回路規模が増加してしまうおそれがある。
【００５９】
図７（ｃ）は、電流源ユニットＵの制御電圧を変化させないで、点灯期間Ｔｏｎを切り替える方式（方式３）を説明する図である。電流源ユニットＵの数は、方式２と同様に、同時に点灯させる発光点の数と同じとし、最大８個の発光サイリスタＬを同時に点灯させるとして８個の電流源ユニットＵ１〜Ｕ８を設けている。電流源ユニットＵ１〜Ｕ８には同じ電位の制御電圧が印加されている。そして、電流源ユニットＵ１〜Ｕ８は、それぞれに対応して設けられたスイッチＳＷ１〜ＳＷ８を介して電流供給端子Ｏに集線されている。そして、スイッチＳＷ１〜ＳＷ８には、点灯期間信号Ｐｅｒが供給されるようになっている。
【００６０】
方式１および２と同様に、発光部６３を構成する各発光点の露光量は前もって測定され、グループ（＃Ａ、＃Ｂ、…）毎に、それぞれのグループに属する発光サイリスタＬをすべて点灯させたときの平均露光量が予め定められた露光量（基準露光量）となる点灯期間Ｔｏｎ（＃Ａ）、Ｔｏｎ（＃Ｂ）、…が算出され、ＬＵＴ１０２に保持されている。
なお、グループ（＃Ａ、＃Ｂ、…）毎に、それぞれのグループに属する発光サイリスタＬのすべてを点灯させたときの平均露光量が予め計測され、予め定められた露光量（基準露光量）となる点灯期間Ｔｏｎ（＃Ａ）、Ｔｏｎ（＃Ｂ）、…が算出され、ＬＵＴ１０２に保持されていてもよい。なお、露光量ムラによる筋が目立つのはハーフトーン画像のため、グループのうち半分点灯して平均露光量とするのがよい。
【００６１】
例えばグループ＃Ａの発光サイリスタＬ１〜Ｌ８をすべて点灯させるときには、図７（ｃ）の上側に示すタイムチャートの時刻ｔＡにおいて、ＬＵＴ１０２より読み出したグループ＃Ａに対する点灯期間Ｔｏｎ（＃Ａ）において電流源ユニットＵ１〜Ｕ８に対応するスイッチＳＷ１〜ＳＷ８をオン（ＯＮ）状態にする。電流源ユニットＵには同じ制御電圧が印加されているので、電流源ユニットＵ１〜Ｕ８はそれぞれ同じ単位電流Ｉｕｎｉｔを出力する。よって、点灯期間Ｔｏｎ（＃Ａ）では、８×単位電流Ｉｕｎｉｔが電流供給端子Ｏから出力される。点灯期間信号Ｐｅｒは点灯期間Ｔｏｎ（＃Ａ）の開始時刻と終了時刻を設定する。
さらに、点灯期間Ｔｏｎ（＃Ａ）の終了後、例えばグループ＃Ｂの発光サイリスタＬ９、Ｌ１２、Ｌ１５を点灯させるときは、ＬＵＴ１０２より読み出したグループ＃Ｂに対する点灯期間Ｔｏｎ（＃Ｂ）において電流源ユニットＵ１、Ｕ４、Ｕ７に対応するスイッチＳＷ１、ＳＷ４、ＳＷ７をオン（ＯＮ）状態にする。なお、電流源ユニットＵ１〜Ｕ８は同じ単位電流Ｉｕｎｉｔを出力するので、任意に選んだ３個の電流源ユニットＵをオンにしてもよい。
つまり、一つのグループに属し同時に点灯させる発光サイリスタＬの点灯期間Ｔｏｎを、ＬＵＴ１０２の保持された補正値に応じて設定する。これにより、グループに属する発光サイリスタＬの平均露光量を、基準露光量に一致させうる。
【００６２】
以上のように、方式３では、点灯期間Ｔｏｎがグループ毎に設定されることになる。さらに、電流源ユニットＵを同一の制御電圧で制御しているので、電流源ユニットＵから出力される電流と制御電圧との関係を予め求めておく必要がない。
また、制御電圧の供給のために、複数の異なる電圧を供給する回路（バッファ回路）を設けることを要しない。
なお、制御電圧は、発光部６３を構成するすべての発光点（発光サイリスタＬ）の露光量（画素濃度）を一律に増減する場合に変えればよい。すなわち、方式３では、発光点の露光量ムラは、グループ毎に点灯期間Ｔｏｎを変化させて補正し、発光部６３全体の露光量（平均露光量）は、制御電圧を変更して電流源ユニットＵが供給する単位電流Ｉｕｎｉｔを増減させることで、高速制御と制御精度を両立させている。
よって、グループに属する発光サイリスタＬの露光量をグループ単位で補正する方法としては方式３が好ましい。以下では、方式３のみを説明する。
【００６３】
以上説明したように、人の目が識別できない程度の空間周波数（分解能）に応じて、点灯信号線数を減らしうる。また、点灯信号線数を減らさない場合には、グループに属する発光サイリスタＬを同時に点灯させることで、点灯時間を短縮でき、高速に画像形成しうる。
また、補正値を格納するＬＵＴ１０２は、図４に示したように信号発生回路１００に設けてもよく、画像出力制御部３０など、信号発生回路１００外に設けて、画像データとともに供給されてもよい。
【００６４】
図８は、発光チップＣ１の動作を説明するためのタイミングチャートである。そして、図８では、図６（ａ）に示した発光サイリスタＬを４個ずつ組にして点灯制御する場合を示している。なお、発光サイリスタＬの＃Ａの４個の組と、＃Ｂの４個の組の点灯制御する部分のみを示している。
図８の期間Ｔ（＃Ａ）では、＃Ａの４個の発光サイリスタＬ１〜Ｌ４をすべて点灯（発光）させるとした。期間Ｔ（＃Ｂ）では、＃Ｂの４個の発光サイリスタＬ５〜Ｌ８のうち、発光サイリスタＬ５、Ｌ７、Ｌ８を点灯（発光）させるとし、発光サイリスタＬ６を消灯のままとした。
【００６５】
図８において、時刻ａから時刻ｒへとアルファベット順に時刻が経過するとする。図６（ａ）の＃Ａの発光サイリスタＬ１〜Ｌ４は、時刻ｃから時刻ｑの期間Ｔ（＃Ａ）において点灯制御が行われる。図６（ａ）の＃Ｂで示される発光サイリスタＬ５〜Ｌ８は、時刻ｑから時刻ｒの期間Ｔ（＃Ｂ）で点灯制御が行われる。なお、図示しないが、期間Ｔ（＃Ｂ）に引き続き、図６（ａ）の＃Ｃで示される発光サイリスタＬ９〜Ｌ１２が転送制御される期間Ｔ（＃Ｃ）が続いている。そして、発光チップＣ１が１２８個の発光サイリスタＬを有する場合には、発光サイリスタＬ１２８まで、発光サイリスタＬを４個ずつ組として点灯制御が行われる。
【００６６】
期間Ｔ（＃Ａ）、期間Ｔ（＃Ｂ）、…における信号波形は、画像データによって変化する記憶信号φｍ１を除いて、同じ波形の繰り返しである。したがって、以下では、時刻ｃから時刻ｑまでの期間Ｔ（＃Ａ）のみを説明する。なお、時刻ａから時刻ｃまでの期間は、発光チップＣ１が動作を開始する期間である。この期間の信号については、動作の説明において説明する。
【００６７】
第１転送信号φ１、第２転送信号φ２、記憶信号φｍ１、点灯信号φＩ１の、期間Ｔ（＃Ａ）における信号波形について説明する。
第１転送信号φ１は、時刻ｃでローレベル（以下、「Ｌ」と記す。）の電位であって、時刻ｅで「Ｌ」からハイレベル（以下、「Ｈ」と記す。）の電位に移行し、時刻ｇで「Ｈ」から「Ｌ」に移行する。さらに、第１転送信号φ１は、時刻ｋで「Ｌ」から「Ｈ」に移行し、時刻ｎで「Ｈ」から「Ｌ」に移行する。そして、時刻ｑまで「Ｌ」を維持する。
第２転送信号φ２は、時刻ｃで「Ｈ」であって、時刻ｄで「Ｈ」から「Ｌ」に移行し、時刻ｈで「Ｌ」から「Ｈ」に移行する。さらに、第２転送信号φ２は、時刻ｊで「Ｈ」から「Ｌ」に移行し、時刻ｏで「Ｌ」から「Ｈ」に移行する。そして、時刻ｑまで「Ｈ」を維持する。
ここで、第１転送信号φ１と第２転送信号φ２とを比較すると、時刻ｃから時刻ｏの期間においては、共に「Ｌ」となる期間（例えば時刻ｄから時刻ｅ、時刻ｇから時刻ｈ）を挟んで、交互に「Ｈ」と「Ｌ」とを繰り返している。そして、第１転送信号φ１と第２転送信号φ２とは、同時に「Ｈ」となる期間を有さない。
【００６８】
記憶信号φｍ１は、時刻ｃにおいて「Ｈ」から「Ｌ」に移行し、時刻ｄで「Ｌ」から記憶レベル（以下、「Ｓ」と記す。）の電位に移行する。なお、詳細は後述するが、記憶レベル「Ｓ」は、「Ｈ」と「Ｌ」の間の電位で、ターンオンした記憶サイリスタＭのオン状態を維持できる電位レベルをいう。
そして、時刻ｆで「Ｓ」から「Ｌ」に、時刻ｇで「Ｌ」から「Ｓ」に移行する。さらに、時刻ｉで「Ｓ」から「Ｌ」に、時刻ｊで「Ｌ」から「Ｓ」に、時刻ｌで「Ｓ」から「Ｌ」に、時刻ｎで「Ｌ」から「Ｈ」に移行する。そして、時刻ｑでは「Ｈ」を維持する。
ここで、記憶信号φｍ１と、第１転送信号φ１および第２転送信号φ２との関係を見ると、記憶信号φｍ１は、第１転送信号φ１または第２転送信号φ２のいずれか一方のみが「Ｌ」のとき、「Ｌ」になっている。例えば、第１転送信号φ１が「Ｌ」である時刻ｃから時刻ｄ、第２転送信号φ２が「Ｌ」である時刻ｆから時刻ｇにおいて、記憶信号φｍ１は「Ｌ」である。
【００６９】
一方、点灯信号φＩ１は、本実施の形態では、後述するように発光サイリスタＬに発光（点灯）のための電流を供給する信号である。
点灯信号φＩ１は、時刻ｃで「Ｈ」であって、時刻ｍにおいて点灯レベル（以下、「Ｌｅ」と記す。）に移行する。時刻ｐにおいて「Ｌｅ」から「Ｈ」に移行する。そして、時刻ｑで「Ｈ」を維持する。
ここで、点灯レベル「Ｌｅ」は、動作の説明において後述するが、点灯可能に設定された発光サイリスタＬを点灯させることができる電位をいい、「Ｈ」と「Ｌ」の間の電位である。
【００７０】
発光チップＣ１の動作を説明する前に、サイリスタ（転送サイリスタＴ、記憶サイリスタＭ、発光サイリスタＬ）の基本動作を説明する。サイリスタは、アノード端子、カソード端子、ゲート端子の３端子を有する半導体素子である。
以下では、例として、図５に示したサイリスタのアノード端子（Ｖｓｕｂ端子）に供給される基準電位Ｖｓｕｂを０Ｖ（「Ｈ」）、Ｖｇａ端子に供給される電源電位Ｖｇａを−３．３Ｖ（「Ｌ」）とする。そして、サイリスタは、ＧａＡｓ等のｐ型半導体層、ｎ型半導体層を積層して構成されているとし、ｐｎ接合の拡散電位（順方向電位）Ｖｄを１．５Ｖとする。
【００７１】
サイリスタは、カソード端子にしきい電圧より低い電位（負側に大きい電位）が印加されるとターンオンする。ターンオンすると、サイリスタはアノード端子とカソード端子との間に電流が流れた状態（オン状態）になる。ここで、サイリスタのしきい電圧は、ゲート端子の電位から拡散電位Ｖｄを引いた値である。よって、サイリスタのゲート端子の電位が−１．５Ｖであると、サイリスタのしきい電圧は−３Ｖとなる。すなわち、−３Ｖより低い電位がカソード端子に印加されると、サイリスタがターンオンすることになる。
そして、ターンオンすると、サイリスタのゲート端子は、サイリスタのアノード端子の電位に近い値になる。ここでは、アノード端子は０Ｖに設定しているので、ゲート端子の電位は０Ｖに近い値となる（以下では、０Ｖと近似する）。また、サイリスタのカソード端子は拡散電位Ｖｄ（ここでは、−１．５Ｖ）となる。
【００７２】
サイリスタは、ターンオンすると、カソード端子の電位が、サイリスタがオン状態を維持するために必要な電位より高い電位（負側に小さい電位）になるまで、オン状態を維持する。すなわち、オン状態のサイリスタのカソード端子の電位は−１．５Ｖであるので、カソード端子に−１．５Ｖより低い電位が印加され、オン状態を維持しうる電流が供給されると、サイリスタのオン状態が維持される。
なお、カソード端子が「Ｈ」（０Ｖ）になって、アノード端子と同電位になれば、サイリスタはオン状態を維持できずターンオフ（オフ）する。サイリスタは、ターンオフすると、アノード端子とカソード端子との間に電流が流れていない状態（オフ状態）になる。つまり、サイリスタは一旦オン状態になると、電流が流れた状態が維持され、ゲート端子の電位によってはターンオフできない。このように、サイリスタはオン状態を維持（記憶、保持）する機能を有している。そして、サイリスタでは、ターンオンさせるための電位に比べ、オン状態を維持する電位は低くてよい。
なお、発光サイリスタＬは、オンになると点灯（発光）し、オフになると消灯（非発光）する。
【００７３】
では、図５を参照しつつ、図８に示したタイミングチャートにしたがって、発光チップＣ１の動作を説明する。
（初期状態）
図８に示したタイミングチャートの時刻ａにおいて、発光部６３の発光チップＣ（Ｃ１〜Ｃ４０）のそれぞれのＶｓｕｂ端子は基準電位Ｖｓｕｂ（０Ｖ）に設定される。一方、それぞれのＶｇａ端子は電源電位Ｖｇａ（−３．３Ｖ）に設定される（図４参照）。
そして、転送信号発生部１２０は第１転送信号φ１、第２転送信号φ２をそれぞれ「Ｈ」に設定する。記憶信号発生部１３０は記憶信号φｍ（φｍ１〜φｍ１０）を「Ｈ」に設定する。点灯制御信号発生部１１０は点灯制御信号φＪ（φＪ１〜φＪ１０）を「Ｈ」に設定する（図４参照）。
これにより、第１転送信号ライン１０５が「Ｈ」になり、発光部６３の各発光チップＣのφ１端子を介して、各発光チップＣの第１転送信号線７２が「Ｈ」になる。同様に、第２転送信号ライン１０６が「Ｈ」になり、各発光チップＣのφ２端子を介して、各発光チップＣの第２転送信号線７３が「Ｈ」になる。記憶信号ライン１０７（１０７＿１〜１０７＿１０）が「Ｈ」になり、各発光チップＣのφｍ端子を介して、各発光チップＣの記憶信号線７４が「Ｈ」になる。さらに、点灯制御信号ライン１０８（１０８＿１〜１０８＿１０）が「Ｈ」になる。これにより、点灯信号供給回路１０１の出力である点灯信号φＩ（φＩ１〜φＩ１０）が「Ｈ」に設定され、点灯信号ライン１０９（１０９＿１〜１０９＿１０）が「Ｈ」になる。そして、各発光チップＣのφＩ端子を介して、各発光チップＣの点灯信号線７５が「Ｈ」になる。
では、発光チップＣ１の動作を説明する。
【００７４】
発光チップＣ１の転送サイリスタＴ１、Ｔ２、…、Ｔ１２８、記憶サイリスタＭ１、Ｍ２、…、Ｍ１２８および発光サイリスタＬ１、Ｌ２、…、Ｌ１２８のアノード端子はＶｓｕｂ端子に接続されているので、「Ｈ」（０Ｖ）が供給される。
一方、奇数番号の転送サイリスタＴ１、Ｔ３、…、Ｔ１２７の各カソード端子は、「Ｈ」に設定された第１転送信号線７２に、偶数番号の転送サイリスタＴ２、Ｔ４、…、Ｔ１２８の各カソード端子は、「Ｈ」に設定された第２転送信号線７３に接続されている。各転送サイリスタＴのアノード端子およびカソード端子はともに「Ｈ」であるので、各転送サイリスタＴはオフ状態にある。
同様に、記憶サイリスタＭ１、Ｍ２、…、Ｍ１２８の各カソード端子は、「Ｈ」に設定された記憶信号線７４に接続されている。各記憶サイリスタＭのアノード端子およびカソード端子はともに「Ｈ」となり、各記憶サイリスタＭはオフ状態にある。
さらに、発光サイリスタＬ１、Ｌ２、…、Ｌ１２８の各カソード端子は、「Ｈ」に設定された点灯信号φＩ（発光チップＣ１の場合は点灯信号φＩ１）に接続されている。各発光サイリスタＬのアノード端子およびカソード端子はともに「Ｈ」であるので、各発光サイリスタＬはオフ状態にある。
【００７５】
さて、転送サイリスタＴのゲート端子Ｇｔは、電源線抵抗Ｒｔを介して電源電位Ｖｇａ（「Ｌ」：−３．３Ｖ）に設定されている。よって、ゲート端子Ｇｔの電位は「Ｌ」になっている。
同様に、記憶サイリスタＭのゲート端子Ｇｍは、電源線抵抗Ｒｍを介して電源電位Ｖｇａ（「Ｌ」：−３．３Ｖ）に設定されている。よって、ゲート端子Ｇｍの電位は「Ｌ」になっている。また、発光サイリスタＬのゲート端子Ｇｌは記憶サイリスタＭのゲート端子Ｇｍに接続されているので、発光サイリスタＬのゲート端子Ｇｌの電位も「Ｌ」になっている。
【００７６】
そして、図５中の転送サイリスタ列の一端側のゲート端子Ｇｔ１は、前述したように、スタートダイオードＤｓのカソード端子に接続されている。そして、スタートダイオードＤｓのアノード端子はＳＩＮ端子に接続され、図４に示したように、「Ｈ」の第２転送信号φ２が供給されている。すると、スタートダイオードＤｓは、カソード端子が「Ｌ」（−３．３Ｖ）でアノード端子が「Ｈ」（０Ｖ）であるので、順方向に電圧が印加（順バイアス）されていることになる。よって、スタートダイオードＤｓのカソード端子が接続されたゲート端子Ｇｔ１は、アノード端子の「Ｈ」（０Ｖ）からスタートダイオードＤｓの拡散電位Ｖｄ（１．５Ｖ）を引いた値になる。よって、本実施の形態では、ゲート端子Ｇｔ１の電位は−１．５Ｖになる。
【００７７】
すると、前述したように、転送サイリスタＴ１のしきい電圧は、ゲート端子Ｇｔ１の電位（−１．５Ｖ）から拡散電位Ｖｄ（１．５Ｖ）を引いた−３Ｖとなる。
なお、転送サイリスタＴ１に隣接する転送サイリスタＴ２のゲート端子Ｇｔ２は、ゲート端子Ｇｔ１に結合ダイオードＤｃ１を介して接続されているため、転送サイリスタＴ２のゲート端子Ｇｔ２の電位は、ゲート端子Ｇｔ１の電位（−１．５Ｖ）から結合ダイオードＤｃ１の拡散電位Ｖｄ（１．５Ｖ）を引いた−３Ｖになる。よって、転送サイリスタＴ２のしきい電圧は−４．５Ｖになる。
同様に、記憶サイリスタＭ１のゲート端子Ｇｍ１（発光サイリスタＬ１のゲート端子Ｇｌ１も同じ）はゲート端子Ｇｔ１に接続ダイオードＤｍ１を介して接続されているため、記憶サイリスタＭ１のゲート端子Ｇｍ１（ゲート端子Ｇｌ１）の電位は、ゲート端子Ｇｔ１の電位（−１．５Ｖ）から接続ダイオードＤｍ１の拡散電位Ｖｄ（１．５Ｖ）を引いた−３Ｖになる。よって、記憶サイリスタＭ１（発光サイリスタＬ１のしきい電圧は−４．５Ｖになる。
これらのゲート端子Ｇｔ１、Ｇｔ２、Ｇｍ１、Ｇｌ１を除く、他のゲート端子Ｇｔ、Ｇｍ、Ｇｌの電位は、電源電位Ｖｇａ（−３．３Ｖ）であるので、転送サイリスタＴ１、Ｔ２、記憶サイリスタＭ１、発光サイリスタＬ１を除く、他の転送サイリスタＴ、記憶サイリスタＭ、発光サイリスタＬのしきい電圧は−４．８Ｖである。
【００７８】
（動作開始）
時刻ｂにおいて、第１転送信号φ１が、「Ｈ」（０Ｖ）から「Ｌ」（−３．３Ｖ）に移行する。すると、「Ｌ」よりしきい電圧が−３Ｖと高い転送サイリスタＴ１がターンオンする。転送サイリスタＴ２は、しきい電圧が−４．５Ｖで「Ｌ」の値より低いので、ターンオンできない。さらに、転送サイリスタＴ３以降の番号の大きい転送サイリスタＴは、しきい電圧が−４．８Ｖであるので、ターンオンできない。
すなわち、時刻ｂにおいて、ターンオンできるのは転送サイリスタＴ１に限られる。
【００７９】
転送サイリスタＴ１がターンオンすると、前述したように、ゲート端子Ｇｔ１の電位は、アノード端子の電位である「Ｈ」（０Ｖ）になる。そして、カソード端子（第１転送信号線７２）の電位は、アノード端子の電位「Ｈ」（０Ｖ）から拡散電位Ｖｄ（１．５Ｖ）を引いた−１．５Ｖになる。
すると、結合ダイオードＤｃ１は、ゲート端子Ｇｔ１の電位が「Ｈ」、ゲート端子Ｇｔ２の電位が−３Ｖとなるので、順バイアス状態になる。すると、ゲート端子Ｇｔ２の電位は、ゲート端子Ｇｔ１の電位（０Ｖ）から結合ダイオードＤｃ１の拡散電位Ｖｄ（１．５Ｖ）を引いた−１．５Ｖになる。これにより、転送サイリスタＴ２のしきい電圧は−３Ｖになる。
転送サイリスタＴ２のゲート端子Ｇｔ２に結合ダイオードＤｃ２を介して接続されたゲート端子Ｇｔ３の電位は、前述したと同様に計算できて、−３Ｖになる。これにより、転送サイリスタＴ３のしきい電圧は−４．５Ｖになる。これに引き続く番号が４以上の転送サイリスタＴのゲート端子Ｇｔの電位は電源電位Ｖｇａの−３．３Ｖであるので、しきい電圧は−４．８Ｖが維持される。
【００８０】
一方、転送サイリスタＴ１がターンオンすると、ゲート端子Ｇｔ１の電位は「Ｈ」（０Ｖ）になる。すると、接続ダイオードＤｍ１は、ゲート端子Ｇｔ１の電位が「Ｈ」（０Ｖ）で、ゲート端子Ｇｍ１の電位が−３Ｖの順バイアスになる。すると、ゲート端子Ｇｍ１およびゲート端子Ｇｌ１の電位は、ゲート端子Ｇｔ１の電位である「Ｈ」（０Ｖ）から接続ダイオードＤｍ１の拡散電位Ｖｄ（１．５Ｖ）を引いた−１．５Ｖになる。すると、記憶サイリスタＭ１および発光サイリスタＬ１のしきい電圧は−３Ｖになる。
なお、隣接する記憶サイリスタＭ２（発光サイリスタＬ２も同じ）のゲート端子Ｇｍ２（ゲート端子Ｇｌ２も同じ）の電位は、「Ｈ」（０Ｖ）となったゲート端子Ｇｔ１から結合ダイオードＤｃ１と接続ダイオードＤｍ２とを介しているので、−３Ｖとなる。よって、記憶サイリスタＭ２（発光サイリスタＬ２も同じ）のしきい電圧は−４．５Ｖとなる。
そして、記憶サイリスタＭ２（発光サイリスタＬ２）に引き続く番号が３以上の記憶サイリスタＭ（発光サイリスタＬ）のゲート端子Ｇｍ（ゲート端子Ｇｌ）の電位は、「Ｈ」（０Ｖ）となったゲート端子Ｇｔ１の電位の影響が及ばず、電源電位Ｖｇａの−３．３Ｖである。よって、番号が３以上の記憶サイリスタＭ（発光サイリスタＬ）のしきい電圧は−４．８Ｖである。
なお、時刻ｂにおいては、第２転送信号φ２は「Ｈ」であるので、転送サイリスタＴ２および４以上の偶数番号の転送サイリスタＴもターンオンしない。また、記憶信号φｍ１は「Ｈ」であり、点灯信号φＩ１も「Ｈ」であるので、いずれの記憶サイリスタＭおよび発光サイリスタＬもターンオンしない。
よって、時刻ｂの直後（ここでは、時刻ｂにおける信号の電位の変化によってサイリスタなどの状態の変化が生じた後をいう）においては、転送サイリスタＴ１がオン状態にある。
【００８１】
（動作状態）
時刻ｃにおいて、記憶信号φｍ１が、「Ｈ」（０Ｖ）から「Ｌ」（−３．３Ｖ）に移行する。すると、記憶サイリスタＭ１は、前述したようにしきい電圧が−３Ｖであるので、ターンオンする。しかし、２以上の番号の記憶サイリスタＭは、しきい電圧が「Ｌ」（−３．３Ｖ）より低いので、ターンオンしない。
すなわち、ターンオンできるのは記憶サイリスタＭ１に限られる。
記憶サイリスタＭ１がターンオンすると、転送サイリスタＴ１の場合と同様に、ゲート端子Ｇｍ１の電位が「Ｈ」（０Ｖ）になる。すると、ゲート端子Ｇｍ１に接続された発光サイリスタＬ１のゲート端子Ｇｌ１の電位が「Ｈ」（０Ｖ）となるので、発光サイリスタＬ１のしきい電圧が−１．５Ｖになる。
しかし、点灯信号φＩ１は「Ｈ」であるので、いずれの発光サイリスタＬもターンオンしない。
よって、時刻ｃの直後においては、転送サイリスタＴ１および記憶サイリスタＭ１がオン状態を維持している。
【００８２】
このとき、記憶サイリスタＭ１のカソード端子の電位は、「Ｈ」（０Ｖ）から拡散電位Ｖｄ（１．５Ｖ）を引いた値である−１．５Ｖになる。しかし、記憶サイリスタＭは抵抗Ｒｎを介して記憶信号線７４に接続されている。このため、記憶信号線７４の電位は「Ｌ」（−３．３Ｖ）に維持されている。逆に、抵抗Ｒｎの値は、記憶サイリスタＭがオン状態になっても、記憶信号線７４の電位として「Ｌ」が維持されるように選ばれている。
【００８３】
ここまで、発光チップＣ１のサイリスタ（転送サイリスタＴ、記憶サイリスタＭ、発光サイリスタＬ）およびダイオード（結合ダイオードＤｃ、接続ダイオードＤｍ）の動作を個別に説明した。しかし、サイリスタおよびダイオードの動作は、次のように説明することができる。
サイリスタがターンオンすると、そのゲート端子（ゲート端子Ｇｔ、ゲート端子Ｇｍ、ゲート端子Ｇｌ）の電位が「Ｈ」（０Ｖ）になる。電位が「Ｈ」（０Ｖ）になったゲート端子に順バイアスのダイオード１段（１個）で接続されたゲート端子の電位は、「Ｈ」（０Ｖ）から拡散電位Ｖｄ（１．５Ｖ）を引いた−１．５Ｖになる。このゲート端子を有するサイリスタのしきい電圧は−３Ｖになる。さらに、電位が「Ｈ」（０Ｖ）になったゲート端子に順バイアスのダイオード２段（直列接続した２個）で接続されたゲート端子の電位は、２拡散電位Ｖｄ（１．５Ｖ）の２倍の値を引いた−３Ｖになる。そして、このゲート端子を有するサイリスタのしきい電圧は−４．５Ｖになる。そして、電位が「Ｈ」（０Ｖ）になったゲート端子にダイオード３段以上で接続されたゲート端子には、電位が「Ｈ」（０Ｖ）になった影響が及ばす、ダイオード３段以上で接続されたゲート端子を有するサイリスタのしきい電圧は−４．８Ｖが維持される。
【００８４】
電位が「Ｈ」（０Ｖ）になったゲート端子とダイオード１段で接続されたゲート端子を有するサイリスタは、「Ｌ」（電源電位：−３．３Ｖ）の電位でターンオンする。ダイオード２段以上で接続されたゲート端子を有するサイリスタは、「Ｌ」（−３．３Ｖ）の電位ではターンオンしない。
すなわち、ターンオンすることができる、電位が「Ｈ」（０Ｖ）になったゲート端子とダイオード１段で接続されたゲート端子を有するサイリスタのみに着目すればよい。
以下では、電位が「Ｈ」（０Ｖ）になったゲート端子とダイオード１段で接続されたゲート端子を有するサイリスタのみについて説明し、ターンオンしないサイリスタのゲート端子の電位やしきい電圧の変化については説明を省略する。
なお、電位が「Ｈ」（０Ｖ）になったゲート端子にダイオード（結合ダイオードＤｃ、接続ダイオードＤｍ）を介さないで接続されたサイリスタのしきい電圧は−１．５Ｖになる。この場合、「Ｌ」（−３．３Ｖ）の電位でターンオンするが、−３．３Ｖより高い電位を用いることもできる。
【００８５】
さて、図８に戻って発光チップＣ１の動作の続きを説明する。
時刻ｄにおいて、記憶信号φｍ１を「Ｌ」から「Ｓ」に、第２転送信号φ２を「Ｈ」から「Ｌ」に移行する。
「Ｓ」は、オン状態にある記憶サイリスタＭはオン状態を維持するが、オフ状態にある記憶サイリスタＭはターンオンできない電位である。
前述したように、ターンオンさせようとする記憶サイリスタＭのしきい電圧は−３Ｖである。オン状態にある記憶サイリスタＭのカソード端子の電位は、拡散電位Ｖｄを引いた値である−１．５Ｖである。よって、「Ｓ」は、ターンオンさせようとする記憶サイリスタＭのしきい電圧である−３Ｖより高く、オン状態のカソード端子の電位（−１．５Ｖ）より低い電位に設定される。なお、「Ｓ」では、オン状態となっている記憶サイリスタＭのオン状態が維持される電流が供給できることを要する。
上述したように、記憶信号φｍ１を「Ｌ」から「Ｓ」に移行しても、オン状態にある記憶サイリスタＭ１はオン状態を維持する。
【００８６】
一方、第２転送信号φ２を「Ｈ」から「Ｌ」に移行すると、しきい電圧が−３Ｖになっている転送サイリスタＴ２がターンオンする。
転送サイリスタＴ２がターンオンすると、ゲート端子Ｇｔ２の電位が「Ｈ」（０Ｖ）まで上昇する。そして、ゲート端子Ｇｔ２に順バイアスのダイオード１段（結合ダイオードＤｃ２）で接続された転送サイリスタＴ３のしきい電圧が−３Ｖになる。同様に、ゲート端子Ｇｔ２にダイオード１段（接続ダイオードＤｍ２）で接続された記憶サイリスタＭ２および発光サイリスタＬ２のそれぞれのしきい電圧が−３Ｖになる。
このとき、転送サイリスタＴ１はオン状態を維持している。よって、転送サイリスタＴ３のカソード端子が接続された第１転送信号線７２の電位は、オン状態の転送サイリスタＴ１により拡散電位Ｖｄ（−１．５Ｖ）に維持されている。このため、転送サイリスタＴ３はターンオンしない。
また、記憶信号φｍ１は「Ｓ」であるので、記憶サイリスタＭ２はターンオンしない。同様に、点灯信号φＩ１は「Ｈ」であるので、発光サイリスタＬ２はターンオンしない。
【００８７】
なお、時刻ｄにおいて、記憶信号φｍ１の「Ｌ」から「Ｓ」への移行と、第２転送信号φ２の「Ｈ」から「Ｌ」への移行とを同時に行っている。
しかし、第２転送信号φ２の「Ｌ」への移行により、転送サイリスタＴ２がターンオンすることで、記憶サイリスタＭ２のしきい電圧が−３Ｖになる。このとき、記憶信号φｍ１が「Ｈ」を維持していると、記憶サイリスタＭ２がターンオンしてしまう。このため、記憶信号φｍの「Ｌ」から「Ｓ」への移行を、第２転送信号φ２の「Ｈ」から「Ｌ」への移行より前に行うことが好ましい。
【００８８】
時刻ｄの直後においては、転送サイリスタＴ１およびＴ２がともにオン状態になっているとともに、記憶サイリスタＭ１もオン状態を維持している。
【００８９】
さて、時刻ｅにおいて、第１転送信号φ１を「Ｌ」から「Ｈ」に移行する。すると、転送サイリスタＴ１は、カソード端子とアノード端子との電位がともに「Ｈ」になるため、ターンオフする。
このとき、転送サイリスタＴ１のゲート端子Ｇｔ１は、電源線抵抗Ｒｔ１を介して電源線７１に接続されているので、電源電位Ｖｇａの−３．３Ｖになる。ゲート端子Ｇｔ１（−３．３Ｖ）とＧｔ２（０Ｖ）との間の結合ダイオードＤｃ１は逆バイアスとなるため、ゲート端子Ｇｔ２が「Ｈ」（０Ｖ）である影響は、ゲート端子Ｇｔ１には及ばない。
同様に、記憶サイリスタＭ１がオン状態にあることにより、ゲート端子Ｇｍ１は「Ｈ」（０Ｖ）になっている。しかし、ゲート端子Ｇｔ１（−３．３Ｖ）とゲート端子Ｇｍ１（０Ｖ）との間の接続ダイオードＤｍ１は逆バイアスとなるため、ゲート端子Ｇｍ１が「Ｈ」（０Ｖ）である影響は、ゲート端子Ｇｔ１には及ばない。
すなわち、電位が「Ｈ」（０Ｖ）になったゲート端子に逆バイアスのダイオードで接続されたゲート端子の電位は、「Ｈ」（０Ｖ）になったゲート端子の影響を受けない。なお、逆バイアスのダイオードを挟んだゲート端子間の電位の関係は、他のダイオードにおいても同様であるので、以下では説明を省略する。
時刻ｅの直後においては、記憶サイリスタＭ１および転送サイリスタＴ２がオン状態を維持している。
【００９０】
次に、時刻ｆにおいて、記憶信号φｍ１を「Ｓ」から「Ｌ」（−３．３Ｖ）にすると、しきい電圧が−３Ｖの記憶サイリスタＭ２が新たにターンオンする（図８では＋Ｍ２  ｏｎと表す。以下同様である。）。すると、ゲート端子Ｇｍ２（Ｇｌ２）の電位が「Ｈ」（０Ｖ）になるので、発光サイリスタＬ２のしきい電圧が−１．５Ｖになる。しかし、点灯信号φＩ１は「Ｈ」であるので、発光サイリスタＬ２はターンオンしない。
よって、時刻ｆの直後においては、記憶サイリスタＭ１およびＭ２の両方がオン状態にある。そして、転送サイリスタＴ２がオン状態を維持している。
【００９１】
時刻ｇにおいて、記憶信号φｍ１を「Ｌ」から「Ｓ」に、第１転送信号φ１を「Ｈ」から「Ｌ」に移行する。
記憶信号φｍ１を「Ｌ」から「Ｓ」にしても、オン状態にある記憶サイリスタＭ１、Ｍ２はオン状態を維持している。
一方、第１転送信号φ１を「Ｈ」から「Ｌ」に移行すると、しきい電圧が−３Ｖとなっている転送サイリスタＴ３がターンオンする。そして、ゲート端子Ｇｔ３の電位が「Ｈ」（０Ｖ）になって、ゲート端子Ｇｔ３に順バイアスのダイオード１段（結合ダイオードＤｃ３）で接続された転送サイリスタＴ４のしきい電圧が−３Ｖになる。同様に、ゲート端子Ｇｔ３に順バイアスのダイオード１段（接続ダイオードＤｍ３）で接続された記憶サイリスタＭ３および発光サイリスタＬ３のしきい電圧が−３Ｖになる。
このとき、転送サイリスタＴ２はオン状態を維持している。よって、転送サイリスタＴ２のカソード端子が接続された第２転送信号線７３の電位は、オン状態の転送サイリスタＴ２により−１．５Ｖに維持されているので、転送サイリスタＴ４はターンオンしない。
また、記憶信号φｍ１は「Ｓ」であるので、記憶サイリスタＭ３はターンオンしない。同様に、点灯信号φＩ１は「Ｈ」であるので、発光サイリスタＬ３もターンオンしない。
なお、時刻ｇにおいては、記憶信号φｍ１の「Ｌ」から「Ｓ」への移行と、第１転送信号φ１の「Ｈ」から「Ｌ」への移行とを同時に行っているが、前述した時刻ｄでと同様に、記憶信号φｍ１の「Ｌ」から「Ｓ」への移行を、第１転送信号φ１の「Ｈ」から「Ｌ」への移行より前に行うことが好ましい。
時刻ｇの直後においては、記憶サイリスタＭ１、Ｍ２がオン状態を維持している。そして、転送サイリスタＴ２およびＴ３がともにオン状態になっている。
【００９２】
次に、時刻ｈにおいて、第２転送信号φ２を「Ｌ」から「Ｈ」にする。すると、時刻ｅでと同様に、転送サイリスタＴ２がターンオフする。そして、転送サイリスタＴ２のゲート端子Ｇｔ２は、電源線抵抗Ｒｔ２を介して、Ｖｇａの−３．３Ｖになる。
よって、時刻ｈの直後においては、記憶サイリスタＭ１、Ｍ２および転送サイリスタＴ３がオン状態を維持している。
【００９３】
そして、時刻ｉにおいて、記憶信号φｍ１を「Ｓ」から「Ｌ」（−３．３Ｖ）にすると、時刻ｆでと同様に、しきい電圧が−３Ｖの記憶サイリスタＭ３がターンオンする。すると、ゲート端子Ｇｍ３（Ｇｌ３）の電位が「Ｈ」（０Ｖ）になり、発光サイリスタＬ３のしきい電圧が−１．５Ｖになる。しかし、点灯信号φＩ１は「Ｈ」であるので、発光サイリスタＬ３はターンオンしない。
よって、時刻ｉの直後においては、記憶サイリスタＭ１、Ｍ２、Ｍ３がオン状態にある。そして、転送サイリスタＴ３もオン状態を維持している。
【００９４】
時刻ｊにおいて、記憶信号φｍ１を「Ｌ」から「Ｓ」に、第２転送信号φ２を「Ｈ」から「Ｌ」に移行する。
すると、時刻ｇと同様に、記憶信号φｍ１を「Ｌ」から「Ｓ」にしても、オン状態にある記憶サイリスタＭ１、Ｍ２、Ｍ３はオン状態を維持している。
一方、第２転送信号φ２を「Ｈ」から「Ｌ」に移行すると、しきい電圧が−３Ｖとなっている転送サイリスタＴ４がターンオンする。そして、ゲート端子Ｇｔ４の電位が「Ｈ」（０Ｖ）になって、ゲート端子Ｇｔ４に順バイアスのダイオード１段（結合ダイオードＤｃ４）で接続された転送サイリスタＴ５のしきい電圧が−３Ｖになる。同様に、ゲート端子Ｇｔ４に順バイアスのダイオード１段（接続ダイオードＤｍ４）で接続された記憶サイリスタＭ４および発光サイリスタＬ４のしきい電圧が−３Ｖになる。
このとき、転送サイリスタＴ３はオン状態を維持している。よって、転送サイリスタＴ５のカソード端子が接続された第１転送信号線７２の電位は、オン状態の転送サイリスタＴ３により−１．５Ｖに維持されているので、転送サイリスタＴ５はターンオンしない。
また、記憶信号φｍ１は「Ｓ」であるので、記憶サイリスタＭ４はターンオンしない。同様に、点灯信号φＩ１は「Ｈ」であるので、発光サイリスタＬ４もターンオンしない。
【００９５】
なお、時刻ｊにおいては、記憶信号φｍ１の「Ｌ」から「Ｓ」への移行と、第２転送信号φ２の「Ｈ」から「Ｌ」への移行とを同時に行っているが、前述した時刻ｄでと同様に、記憶信号φｍ１の「Ｌ」から「Ｓ」への移行を、第２転送信号φ２の「Ｈ」から「Ｌ」への移行より前に行うことが好ましい。
よって、時刻ｊの直後においては、記憶サイリスタＭ１、Ｍ２、Ｍ３がオン状態を維持している。そして、転送サイリスタＴ３およびＴ４がともにオン状態になっている。
【００９６】
そして、時刻ｋにおいて、第１転送信号φ１を「Ｌ」から「Ｈ」にする。すると、時刻ｈでと同様に、転送サイリスタＴ３がターンオフする。そして、転送サイリスタＴ３のゲート端子Ｇｔ３は、電源線抵抗Ｒｔ３を介して、電源電位Ｖｇａの−３．３Ｖになる。
よって、時刻ｋの直後においては、記憶サイリスタＭ１、Ｍ２、Ｍ３および転送サイリスタＴ４がオン状態を維持している。
【００９７】
時刻ｌにおいて、記憶信号φｍ１を「Ｓ」から「Ｌ」にすると、時刻ｉでと同様に、しきい電圧が−３Ｖの記憶サイリスタＭ４がターンオンする。すると、ゲート端子Ｇｍ４（Ｇｌ４）の電位が「Ｈ」（０Ｖ）になるので、発光サイリスタＬ４のしきい電圧が−１．５Ｖになる。しかし、点灯信号φＩ１は「Ｈ」であるので、発光サイリスタＬ４はターンオンしない。
【００９８】
さて、時刻ｌの直後において、記憶サイリスタＭ１、Ｍ２、Ｍ３、Ｍ４がオン状態にあり、転送サイリスタＴ４もオン状態を維持している。
すると、オン状態の記憶サイリスタＭ１、Ｍ２、Ｍ３、Ｍ４のそれぞれのゲート端子Ｇｍ１（Ｇｌ１）、Ｇｍ２（Ｇｌ２）、Ｇｍ３（Ｇｌ３）、Ｇｍ４（Ｇｌ４）がすべて「Ｈ」（０Ｖ）となっている。このため、発光サイリスタＬ１、Ｌ２、Ｌ３、Ｌ４のしきい電圧はすべて−１．５Ｖになっている。なお、発光サイリスタＬ４に隣接する発光サイリスタＬ５のゲート端子Ｇｌ５は、「Ｈ」（０Ｖ）になったゲート端子Ｇｔ４から順バイアスのダイオード２段（結合ダイオードＤｃ４および接続ダイオードＤｍ５）で接続されているので、しきい電圧は−４．５Ｖになっている。そして、さらに、番号が６以上の発光サイリスタＬは、しきい電圧が−４．８Ｖになっている。
【００９９】
時刻ｍにおいて、点灯信号φＩ１の電位を上述した発光サイリスタＬ１、Ｌ２、Ｌ３、Ｌ４のしきい電圧（−１．５Ｖ）より低く、且つ後述する時刻ｎにおける発光サイリスタＬ５のしきい電圧（−３Ｖ）より高い電位である「Ｌｅ」にする。
すると、発光サイリスタＬ１、Ｌ２、Ｌ３、Ｌ４のしきい電圧（−１．５Ｖ）は、「Ｌｅ」より高いので、発光サイリスタＬ１、Ｌ２、Ｌ３、Ｌ４がターンオンして、点灯（発光）する。
一方、発光サイリスタＬ５および６以上の番号の発光サイリスタＬは、しきい電圧が「Ｌｅ」より低いので、ターンオンしない。
すなわち、本実施の形態では、複数（ここでは４個）の発光サイリスタＬを同時に点灯させている。
そして、時刻ｍの直後においては、発光サイリスタＬ１、Ｌ２、Ｌ３、Ｌ４、記憶サイリスタＭ１、Ｍ２、Ｍ３、Ｍ４、転送サイリスタＴ４がオン状態になっている。
【０１００】
時刻ｎにおいて、記憶信号φｍ１を「Ｌ」から「Ｈ」に、第１転送信号φ１を「Ｈ」から「Ｌ」に移行する。
記憶信号φｍ１を「Ｌ」から「Ｈ」にすることで、オン状態を維持していた記憶サイリスタＭ１、Ｍ２、Ｍ３、Ｍ４のカソード端子の電位が、アノード端子の「Ｈ」（０Ｖ）と同じになるので、記憶サイリスタＭ１、Ｍ２、Ｍ３、Ｍ４はターンオフする。
一方、第１転送信号φ１を「Ｈ」から「Ｌ」に移行すると、しきい電圧が−３Ｖとなっている転送サイリスタＴ５がターンオンする。そして、ゲート端子Ｇｔ５の電位が「Ｈ」（０Ｖ）になって、ゲート端子Ｇｔ５に順バイアスのダイオード１段（結合ダイオードＤｃ５）で接続された転送サイリスタＴ６のしきい電圧が−３Ｖになる。同様に、ゲート端子Ｇｔ５に順バイアスのダイオード１段（接続ダイオードＤｍ５）で接続された記憶サイリスタＭ５および発光サイリスタＬ５のしきい電圧が−３Ｖになる。
このとき、転送サイリスタＴ４はオン状態を維持している。よって、転送サイリスタＴ６のカソード端子が接続された第２転送信号線７３の電位は、オン状態の転送サイリスタＴ４により−１．５Ｖに維持されているので、転送サイリスタＴ６はターンオンしない。
また、記憶信号φｍ１は、「Ｈ」であるので、記憶サイリスタＭ５はターンオンしない。一方、点灯信号φＩ１は、−３Ｖより高く且つ−１．５Ｖより低い電位である点灯レベル「Ｌｅ」であるので、発光サイリスタＬ５はターンオンせず、非点灯のままである。
【０１０１】
なお、時刻ｎにおいて、記憶信号φｍ１の「Ｌ」から「Ｈ」への移行と、第１転送信号φ１の「Ｈ」から「Ｌ」への移行を同時に行っている。しかし、第１転送信号φ１を「Ｌ」にすることにより、転送サイリスタＴ５がターンオンし、記憶信号φｍ１が「Ｌ」において記憶サイリスタＭ５がターンオンするのを抑制するため、記憶信号φｍ１を「Ｌ」から「Ｈ」への移行を第１転送信号φ１の「Ｈ」から「Ｌ」への移行より前に行うことが好ましい。
時刻ｎの直後においては、発光サイリスタＬ１、Ｌ２、Ｌ３、Ｌ４が点灯（オン）状態を維持している。そして、転送サイリスタＴ４およびＴ５がともにオン状態である。
【０１０２】
時刻ｏにおいて、第２転送信号φ２を「Ｌ」から「Ｈ」にする。すると、転送サイリスタＴ４がターンオフする。そして、転送サイリスタＴ４のゲート端子Ｇｔ４は、電源線抵抗Ｒｔ４を介して、電源電位Ｖｇａの−３．３Ｖになる。
よって、時刻ｏの直後においては、発光サイリスタＬ１、Ｌ２、Ｌ３、Ｌ４が点灯（オン）状態を維持している。そして、転送サイリスタＴ５がオン状態を維持している。
【０１０３】
そして、時刻ｐにおいて、点灯信号φＩ１を「Ｌｅ」から「Ｈ」にすると、発光サイリスタＬ１、Ｌ２、Ｌ３、Ｌ４のカソード端子の電位がアノード端子の「Ｈ」（０Ｖ）と同じになる。このため、発光サイリスタＬ１、Ｌ２、Ｌ３、Ｌ４は点灯（オン）状態を維持できず、消灯（ターンオフ）する。
すなわち、時刻ｍから時刻ｐまでが、発光サイリスタＬ１、Ｌ２、Ｌ３、Ｌ４の点灯期間Ｔｏｎ（＃Ａ）となる。発光サイリスタＬ１、Ｌ２、Ｌ３、Ｌ４を同時に点灯しているため、点灯期間Ｔｏｎ（＃Ａ）は発光サイリスタＬ１、Ｌ２、Ｌ３、Ｌ４において同じである。
点灯期間Ｔｏｎ（＃Ａ）の長さ（点灯期間Ｔｏｎ）は、前述したように、発光サイリスタＬの露光量のムラを抑制するため、グループ＃Ａに属する発光サイリスタＬ１〜Ｌ４のグループとしての平均露光量が基準露光量に対して補正されるように設定されている。点灯期間Ｔｏｎ（＃Ｂ）など、他の点灯期間Ｔｏｎについても同様である。
【０１０４】
なお、時刻ｏと時刻ｐとの間に、記憶信号φｍ１を「Ｈ」から「Ｌ」にして、記憶サイリスタＭ５をターンオンさせると、ゲート端子Ｇｍ５（ゲート端子Ｇｌ５と同じ）が「Ｈ」（０Ｖ）になって、発光サイリスタＬ５のしきい電圧が−１．５Ｖに上昇する。この期間では、点灯信号φＩ１が「Ｌｅ」であるので、発光サイリスタＬ５が点灯してしまう。
したがって、本実施の形態では、発光サイリスタＬ１、Ｌ２、Ｌ３、Ｌ４が消灯する時刻ｐが経過するまで、記憶信号φｍ１を「Ｌ」に移行させないようにしている。
よって、時刻ｐの直後においては、転送サイリスタＴ５のみがオン状態を維持している。
【０１０５】
そして、時刻ｑにおいて、記憶信号φｍ１が「Ｈ」から「Ｌ」に移行する。記憶信号φｍ１を「Ｓ」から「Ｌ」にすると、時刻ｃでと同様に、しきい電圧が−３Ｖになっている記憶サイリスタＭ５がターンオンする。これ以降は、時刻ｃからの繰り返しとなって、期間Ｔ（＃Ｂ）において、期間Ｔ（＃Ａ）でと同様にして、発光サイリスタＬ５〜Ｌ８の点灯制御が行われる。これ以降の説明は省略する。
【０１０６】
なお、期間Ｔ（＃Ａ）においては、発光チップＣ１の発光サイリスタＬ１、Ｌ２、Ｌ３、Ｌ４をすべて点灯させるとして説明した。しかし、画像データによって、発光サイリスタＬを点灯させないときは、記憶信号φｍ１を「Ｓ」のままとすればよい。すなわち、図８の期間Ｔ（＃Ｂ）におけるＭ６として示す時刻（タイミング）において、記憶信号φｍ１を「Ｓ」に維持すればよい。「Ｓ」は−３Ｖより高く且つ−１．５Ｖより低い電位であるため、しきい電圧が−３Ｖの記憶サイリスタＭ６はターンオンすることができない。したがって、記憶サイリスタＭ６はオン状態になることができず、オフのままとなる。これにより、点灯信号φＩ１が「Ｌｅ」となっても、記憶サイリスタＭ６のゲート端子Ｇｍ６にゲート端子Ｇｌ６が接続された発光サイリスタＬ６は、しきい電圧が−４．８Ｖに維持されているので、点灯（発光）しない。この一方、点灯信号φＩ１（φＩ）が「Ｌｅ」になると、記憶サイリスタＭ５、Ｍ７、Ｍ８は、しきい電圧が−１．５Ｖであるので、点灯（発光）する。
【０１０７】
前述したように、発光チップ群ＣＧ１の発光チップＣ１〜Ｃ４は、ＳＯＵ端子とＳＩＮ端子とで数珠繋ぎになっていて、発光サイリスタＬ数が発光チップＣの４倍の発光チップとして働く。よって、発光チップＣ２〜Ｃ４の動作は、前述した発光チップＣ１の動作の延長となる。
一方、異なる発光チップ群ＣＧに属する発光チップＣは、発光チップ群ＣＧ１の発光チップＣと、同じ第１転送信号φ１および第２転送信号φ２が供給されることから、並行して動作している。
すなわち、点灯制御の期間Ｔ（＃Ａ）において、発光チップ群ＣＧ１に属す発光チップＣ１の発光サイリスタＬ１〜Ｌ４と並行して、発光チップ群ＣＧ２に属す発光チップＣ８の発光サイリスタＬ１〜Ｌ４が、記憶信号φｍ２および点灯信号φＩ２により、点灯制御が行われる。他の期間Ｔおよび他の発光チップ群ＣＧ３〜１０においても同様である。
【０１０８】
以上説明したことは以下のように説明できる。
すなわち、本実施の形態においては、転送サイリスタＴは、第１転送信号φ１および第２転送信号φ２によって、隣り合う２つの転送サイリスタＴがともにオン状態になる期間（例えば、図８における時刻ｄから時刻ｅの間）を設けつつ、番号の順に、オフ状態からオン状態に、オン状態からオフ状態に設定される。すなわち、転送サイリスタ列の番号の順にオン状態がシフトしていく。
そして、第１転送信号φ１または第２転送信号φ２のいずれか一方のみが「Ｌ」である期間では、１個の転送サイリスタＴのみがオン状態になっている。例えば、時刻ｃから時刻ｄでは転送サイリスタＴ１のみがオン状態にある。
【０１０９】
転送サイリスタＴがオン状態になると、そのゲート端子Ｇｔにゲート端子Ｇｍが接続された記憶サイリスタＭのしきい電圧が高くなる。
そこで、１個の転送サイリスタＴのみがオン状態にあるタイミング（例えば、図８の時刻ｃ、ｆ、ｉ、ｌ）において、記憶信号φｍを「Ｌ」にすることで、オン状態の転送サイリスタＴによりしきい電圧が高くなった記憶サイリスタＭをターンオンさせる。
そして、記憶信号φｍを「Ｈ」に戻すことなく、「Ｓ」と「Ｌ」との間で変化させ、予め定められた個数の発光サイリスタＬについて、点灯させようとする発光サイリスタＬと同じ番号の記憶サイリスタＭをオン状態にし、点灯させない発光サイリスタＬと同じ番号の記憶サイリスタＭをオフ状態に維持する。
すなわち、複数の発光サイリスタＬを同時に点灯させるため、点灯させる発光サイリスタＬの位置（番号）を同じ番号の（対応する）記憶サイリスタＭをオン状態にすることで記憶させている。
そののち、点灯信号φＩを供給することで、点灯させる複数の発光サイリスタＬを点灯させる。これは、オン状態の記憶サイリスタＭはゲート端子Ｇｍの電位がアノード端子の電位（「Ｈ」（０Ｖ））となるため、同じ番号の発光サイリスタＬのしきい電圧が高くなり、点灯信号φＩ１によって、オン状態の記憶サイリスタＭと同じ番号の発光サイリスタＬのみを点灯（発光）させうることによる。
【０１１０】
転送サイリスタＴは、シフト機能により、発光サイリスタＬの位置を順に指定するように働いている。一方、記憶信号φｍは、画像データに基づいて、「Ｌ」と「Ｓ」とに設定され、指定された発光サイリスタＬを点灯させるか否かを設定するように働いている。そして、記憶サイリスタＭは、同時に点灯させる発光サイリスタＬと同じ番号の複数の記憶サイリスタＭのオン状態を維持して、点灯させる発光サイリスタＬの位置（番号）を記憶する機能（ラッチ機能）を有している。
なお、発光サイリスタＬが点灯すると、記憶信号φｍを「Ｈ」にして、記憶サイリスタＭをすべてターンオフして、点灯させようとする発光サイリスタＬの位置（番号）の記憶を消去する。
つまり、記憶信号φｍの「Ｌ」は、発光サイリスタＬを点灯させる指示であり、記憶信号φｍの「Ｓ」は、発光サイリスタＬを点灯させない指示であり、記憶信号φｍの「Ｈ」は、記憶した指示をクリア（リセット）する指示として働く。
【０１１１】
そして、本実施の形態では、記憶サイリスタＭのカソード端子は抵抗Ｒｎを介して、記憶信号φｍが供給される記憶信号線７４に接続されている。これにより、記憶サイリスタＭがオン状態になっても、記憶信号線７４は、記憶サイリスタＭのカソード端子の電位に引き込まれない。これにより、ある記憶サイリスタＭがオン状態にあるとき、他の記憶サイリスタＭのしきい電圧が「Ｌ」より高くなると、他の記憶サイリスタＭもターンオンさせることができる。
このように、同時に点灯させようとする複数の発光サイリスタＬと同じ番号の複数の記憶サイリスタＭがオン状態になり、そのままオン状態を維持し記憶する。この状態で、点灯信号φＩを供給することにより、複数の発光サイリスタＬを同時に点灯させている。
なお、記憶サイリスタＭがオン状態を維持する電流は、発光サイリスタＬの発光のための電流に比べ少なくてよい。このため、抵抗Ｒｎの発光チップＣの基板８０上に占める面積も小さくなり、発光チップＣの面積の増加を抑制しうる。
【０１１２】
複数の発光点（発光サイリスタＬ）を一つの点灯期間Ｔｏｎ（例えば、時刻ｍからｐ）で同時に行っているので、発光サイリスタＬを１個ずつ点灯制御する場合に比べ、点灯期間Ｔｏｎを短くしうる。このため、複数の発光チップＣを組（群）にして駆動しても、プリントヘッド１４が感光ドラム１２を露光する時間に影響を与えない。このようにすることで、点灯信号線（点灯制御信号線を含む）の数を、発光チップＣの数より少なくしうる。
【０１１３】
図９は、発光チップＣ１の別の動作を説明するためのタイミングチャートである。図９では、図６（ｂ）に示した、発光サイリスタＬを８個ずつ組にして点灯制御する場合を示している。図９では、発光サイリスタＬの＃Ａの８個の組を点灯制御する部分を示し、期間Ｔ（＃Ａ）では、＃Ａの８個の発光サイリスタＬ１〜Ｌ８をすべて点灯させるとした。
なお、図９中の点灯期間信号Ｐｅｒおよび点灯制御信号φＪについては、後に説明する。
【０１１４】
図９において、図８と同様に、下記に示す一部（時刻ｍ）を除いて、時刻ａから時刻ｑへとアルファベット順に時刻が経過するとし、図８の時刻と同じ時刻とした。図６（ｂ）の＃Ａの発光サイリスタＬ１〜Ｌ８は、時刻ｃから時刻ｑの期間Ｔ（＃Ａ）において点灯制御が行われる。
そして、図９の期間Ｔ（＃Ａ）においては、図８における４個の記憶サイリスタＭをオン状態に設定する時刻ｃから時刻ｎの期間を、２回繰り返している。このため、点灯信号φＩ１（φＩ）を「Ｌｅ」とする時刻ｍを時刻ｏと時刻ｐとの間にずらしている。
発光チップＣ１の動作は、前述した発光点（発光サイリスタＬ）が４個の場合と同じであるので、説明を省略する。
なお、発光チップＣ１を変更することなく、図８と図９とに示すように、第１転送信号φ１、第２転送信号φ２、記憶信号φｍ１、点灯信号φＩ１のタイミングを変更するのみで、８個の発光点（発光サイリスタＬ）を同時に点灯しうる。
このように、同時に点灯させる発光点（発光サイリスタＬ）の数は、任意に設定してよい。
【０１１５】
なお、図４の回路における点灯信号φＩ（φＩ１〜φＩ１０）は、前述したように、電流駆動により供給される。
点灯信号φＩ（φＩ１〜φＩ１０）を一定電圧駆動により供給すれば、発光チップＣに流れる電流Ｉは、電源の電位Ｖ、拡散電位Ｖｄおよび外付け抵抗Ｒとから、Ｉ＝（Ｖ−Ｖｄ）／Ｒとなる。よって、同時に点灯（発光）している複数の発光サイリスタＬのそれぞれに流れる電流は、電流Ｉを同時に点灯（発光）している発光サイリスタＬの数で割った値となる。すなわち、同時に点灯（発光）させようとする発光サイリスタＬの数によって、それぞれの発光サイリスタＬに流れる電流が異なり、露光量が異なることになってしまう。そこで、点灯させる発光サイリスタＬの数に応じて、供給する電流値を変化させて、同時に点灯（発光）させる発光サイリスタＬの数によらず、それぞれの露光量が変動することを抑制することが好ましい。
同時に点灯させる発光サイリスタＬの数は、発光チップＣに与えられる画像データによって決められるため、同時に点灯させる発光サイリスタＬの数に応じた電流値を設定することは容易である。
【０１１６】
電流駆動においては、配線抵抗によらず、グループ単位で発光サイリスタＬに供給される電流が一定になる。例え、グループ内の発光サイリスタＬ間で露光量が若干異なっても、発光サイリスタＬのピッチが人の目が認識できる空間周波数以上であれば、発光サイリスタＬ間の露光量の差は認識されにくい。
【０１１７】
なお、点灯信号φＩ（φＩ１〜φＩ１０）は、電圧駆動で行ってもよい。
電圧駆動の場合、回路基板６２上に設けられた点灯信号ライン１０９（１０９＿１〜１０９＿１０）の長さにより、配線抵抗が異なるため、発光サイリスタＬを点灯（発光）させるための電流が、配線抵抗により異なって、発光サイリスタＬ毎の露光量が異なってしまう。この場合でも、配線抵抗の値をＬＵＴ１０２に蓄積することにより、グループ毎に属する発光サイリスタＬに供給する電圧を制御することで、グループ単位での露光量を補正しうる。
【０１１８】
以下では、点灯信号φＩ（φＩ１〜φＩ１０）を供給する回路、すなわち、図４における点灯制御信号発生部１１０および点灯信号供給回路１０１について説明する。ここでは、図６（ｂ）に示した８個の発光点（発光サイリスタＬ）を１グループにして点灯制御する場合について説明する。
図１０は、信号発生回路１００の一部である点灯制御信号発生部１１０および点灯信号供給回路１０１を説明するための図である。
点灯制御信号発生部１１０は、基準電流発生部２０１と点灯期間設定部２０２と点灯制御信号供給部２０３と点灯信号高速化部２０４とを備えている。
基準電流発生部２０１は、点灯信号φＩ（φＩ１〜φＩ１０）の基準となる電流（後述する図１１の基準電流Ｉｒｅｆ１）を生成する。基準電流発生部２０１は、画像出力制御部３０から送信された発光点（発光サイリスタＬ）の露光量を設定する露光量設定信号Ｂｃｎｔを受信する。そして、露光量設定信号Ｂｃｎｔに基づいて、基準電流Ｉｒｅｆ１をＣＵＲＩＮ端子を介して点灯制御信号供給部２０３に供給する。
【０１１９】
点灯期間設定部２０２は、ＬＵＴ１０２から発光点（発光サイリスタＬ）の点灯期間Ｔｏｎを設定する点灯期間信号Ｔｃｎｔを受信する。そして、図９に示すように、点灯期間Ｔｏｎの期間において「Ｈ」となり、他の期間が「Ｌ」である点灯期間信号Ｐｅｒを、点灯制御信号供給部２０３に送信する。
点灯制御信号供給部２０３は、一例として、８個の電流源ユニットＵ（Ｕ１〜Ｕ８）を備えている。そして、基準電流発生部２０１から供給された基準電流Ｉｒｅｆ１は、均等に分割された電流Ｉｒｅｆ２（＝Ｉｒｅｆ１／８）が、８個の電流源ユニットＵ（Ｕ１〜Ｕ８）のそれぞれに供給される。
【０１２０】
そして、点灯制御信号供給部２０３は、画像出力制御部３０から、同時に点灯される発光点（発光サイリスタＬ）の数（発光点数）（本実施の形態では、０〜８個）を設定する４ビットの発光点数設定信号Ｌｃｎｔ（＃４、＃３、＃２、＃１）を受信する。そして、発光点数に応じて、使用する電流源ユニットＵ（Ｕ１〜Ｕ８）が設定される。そして、図９に示すように、点灯期間信号Ｐｅｒが「Ｈ」である期間において、使用するように設定された電流源ユニットＵから電流が供給され、それらが重畳されて点灯制御信号φＪとなって、点灯信号供給回路１０１に供給される。すなわち、点灯制御信号φＪ（φＪ１〜φＪ１０）は、電流源ユニットＵ１個の供給する電流（単位電流Ｉｕｎｉｔ）を１単位とする電流であって、その整数倍（０〜８倍）の電流である。なお、発光点数が０であれば、いずれの電流源ユニットＵからも電流は供給されない。これについては、点灯制御信号供給部２０３の説明において詳述する。
このようにすることで、同時に点灯しようとする発光点（発光サイリスタＬ）の数に応じて、点灯信号φＩ（φＩ１〜φＩ１０）の電流を変化させることができる。
点灯信号高速化部２０４は、点灯制御信号発生部１１０の点灯期間設定部２０２からの点灯期間信号Ｐｅｒを受信し、点灯信号φＩのオン状態からオフ状態への動作を高速化する。すなわち、点灯期間信号Ｐｅｒが「Ｈ」から「Ｌ」へ変化するタイミングを捉え、点灯信号φＩの電位を「Ｈ」に強制的に設定し、点灯期間Ｔｏｎを終了させる。
【０１２１】
後述するように、基準電流発生部２０１の生成する基準電流Ｉｒｅｆ１または点灯期間設定部２０２が生成する点灯期間信号Ｐｅｒのいずれによっても、発光サイリスタＬの露光量を変更（補正）しうる。
基準電流Ｉｒｅｆ１は露光量設定信号Ｂｃｎｔの電位にて変更できるので、画像の濃度が全体として濃いとき、または画像の濃度が全体として薄いときの濃度制御に使用しうる。そして、点灯期間信号Ｐｅｒを、グループ単位の露光量の補正に使用しうる。
【０１２２】
点灯信号供給回路１０１は、点灯制御信号発生部１１０の点灯制御信号供給部２０３から点灯制御信号φＪ（φＪ１〜φＪ１０）を受信し、点灯信号φＩ（φＩ１〜φＩ１０）を発光チップ群ＣＧ毎に供給する。
【０１２３】
以下では、基準電流発生部２０１、点灯制御信号供給部２０３、点灯信号高速化部２０４、点灯信号供給回路１０１について、より詳細に説明する。なお、点灯信号φＩ１〜φＩ１０および点灯制御信号φＪ１〜φＪ１０を区別しないで、点灯信号φＩおよび点灯制御信号φＪとして説明する。
（基準電流発生部）
図１１は基準電流発生部２０１を説明するための図である。本実施の形態では、基準電流発生部２０１はｐチャネルＭＯＳトランジスタ（以下ではｐチャネルトランジスタと略す。）とｎチャネルＭＯＳトランジスタ（以下ではｎチャネルトランジスタと略す。）とを使用したＣＭＯＳ回路で構成されている。
本実施の形態では、Ｐを付したトランジスタ（例えばＰ１１）がｐチャネルトランジスタ、Ｎを付したトランジスタ（例えばＮ１１）がｎチャネルトランジスタである。
基準電流発生部２０１は、容量Ｃ１１、抵抗Ｒ１１、Ｒ１２、ｐチャネルトランジスタＰ１１、Ｐ１２、ｎチャネルトランジスタＮ１１、Ｎ１２を備えている。ｐチャネルトランジスタＰ１１とｎチャネルトランジスタＮ１１、Ｎ１２とはカレントミラー回路ＣＭ１を構成する。そして、露光量設定信号ＢｃｎｔがＢｃｎｔ端子に供給される。
【０１２４】
上記素子の電気的な接続関係を説明する。露光量設定信号Ｂｃｎｔが供給されるＢｃｎｔ端子は電流源を制御し、抵抗Ｒ１１を介して、容量Ｃ１１の一方の端子に接続されている。容量Ｃ１１の他方の端子はＧＮＤ端子に接続されている。容量Ｃ１１の一方の端子は抵抗Ｒ１２を介して、ｐチャネルトランジスタＰ１２のドレイン端子に接続（接続点Ｄ１２）されている。ｐチャネルトランジスタＰ１２のソース端子はＶｃｃ端子に接続されている。
ｐチャネルトランジスタＰ１１のソース端子はＶｃｃ端子に、ｎチャネルトランジスタＮ１１のソース端子はＧＮＤ端子に接続されている。そして、ｐチャネルトランジスタＰ１１のドレイン端子とｎチャネルトランジスタＮ１１のドレイン端子とが接続（接続点Ｄ１１）されている。
【０１２５】
ｐチャネルトランジスタＰ１１およびｐチャネルトランジスタＰ１２のそれぞれのゲート端子は接続され、ｐチャネルトランジスタＰ１２のドレイン端子（接続点Ｄ１２）に接続されている。ｎチャネルトランジスタＮ１１のゲート端子は、ｐチャネルトランジスタＰ１１のドレイン端子（ｎチャネルトランジスタＮ１１のドレイン端子でもある）に接続（接続点Ｄ１１）されている。
そして、ｎチャネルトランジスタＮ１２のソース端子はＧＮＤ端子に接続され、そのドレイン端子は基準電流Ｉｒｅｆ１を供給するＣＵＲＩＮ端子に接続されている。ｎチャネルトランジスタＮ１２のゲート端子は、ｎチャネルトランジスタＮ１１のドレイン端子に接続（接続点Ｄ１１）されている。
なお、Ｖｃｃ端子は図４の基準電位Ｖｓｕｂが供給されるＶｓｕｂ端子（０Ｖ）に、ＧＮＤ端子は図４の電源電位Ｖｇａが供給されるＶｇａ端子（−３．３Ｖ）に接続される。Ｖｃｃ端子が「Ｈ」、ＧＮＤ端子が「Ｌ」である。なお、論理回路を説明するときは、「Ｈ」を「１」、「Ｌ」を「０」とする。
【０１２６】
次に、基準電流発生部２０１の動作を説明する。
露光量設定信号Ｂｃｎｔは、基準電位Ｖｓｕｂと電源電位Ｖｇａとの間の電位に選ばれた基準電位である。露光量設定信号Ｂｃｎｔにより、ｐチャネルトランジスタＰ１１およびｐチャネルトランジスタＰ１２が導通状態（オン状態）になる。ｐチャネルトランジスタＰ１１に流れる電流は、ｐチャネルトランジスタＰ１１のゲート端子（接続点Ｄ１２）の電位に依存する。この電位が電源電位Ｖｇａに近ければ近いほど、ｐチャネルトランジスタＰ１１に流れる電流が多くなる。逆に、ｐチャネルトランジスタＰ１１のゲート端子に印加された電位が基準電位Ｖｓｕｂに近ければ近いほど、ｐチャネルトランジスタＰ１１に流れる電流が少なくなる。
ｐチャネルトランジスタＰ１１がオン状態になると、ｐチャネルトランジスタＰ１１のドレイン端子（接続点Ｄ１１）の電位が基準電位Ｖｓｕｂ側に近づく。ｎチャネルトランジスタＮ１１のゲート端子がｐチャネルトランジスタＰ１１のドレイン端子に接続されているので、ｎチャネルトランジスタＮ１１が導通状態（オン状態）になる。
このようして、ｐチャネルトランジスタＰ１１とｎチャネルトランジスタＮ１１とがともに導通状態（オン状態）になる。ｐチャネルトランジスタＰ１１とｎチャネルトランジスタＮ１１とを流れる電流Ｉ１は、ｐチャネルトランジスタＰ１１およびｎチャネルトランジスタＮ１１のそれぞれの導通状態によって決まる。
【０１２７】
そして、ｎチャネルトランジスタＮ１２のゲート端子はｎチャネルトランジスタＮ１１のゲート端子に接続されているので、カレントミラー効果により、ｎチャネルトランジスタＮ１２を流れる基準電流Ｉｒｅｆ１は、ｎチャネルトランジスタＮ１１を流れる電流Ｉ１によって決まる。すなわち、ｎチャネルトランジスタＮ１１とｎチャネルトランジスタＮ１２とが、同じサイズ（チャネル幅Ｗ／チャネル長Ｌが同じ）であれば、相互コンダクタンスが同じになり、電流Ｉ１と基準電流Ｉｒｅｆ１とが同じになる。また、ｎチャネルトランジスタＮ１２とｎチャネルトランジスタＮ１１との相互コンダクタンスが異なると、基準電流Ｉｒｅｆ１は、電流Ｉ１に対して相互コンダクタンスの比で決まる。
【０１２８】
電流Ｉ１は、露光量設定信号Ｂｃｎｔの電位によって決まる。すなわち、露光量設定信号Ｂｃｎｔの電位を小さくすると電流Ｉ１が増加し、露光量設定信号Ｂｃｎｔの電位を大きくすると電流Ｉ１が低減する。露光量設定信号Ｂｃｎｔの電位（基準電位）を変化させることで、基準電流Ｉｒｅｆ１を調整しうる。
なお、基準電流Ｉｒｅｆ１は、電流の向きから分かるように、ＣＵＲＩＮ端子から引き込まれる電流である。
ここでは簡易的な電流設定方法を説明したが、点灯信号φＩとして高精度の電流が供給できるのであればこの形態に制約されない。
【０１２９】
（点灯制御信号供給部）
図１２は点灯制御信号供給部２０３を説明するための論理回路図である。
点灯制御信号供給部２０３は、前述した８個の電流源ユニットＵ（Ｕ１〜Ｕ８）、３つのＡＮＤ回路３０４、３０５、３０６を備えている。各電流源ユニットＵは、ＯＲ回路３０１、ＡＮＤ回路３０２、電流供給回路３０３を備えている。
ＡＮＤ回路３０４、３０５、３０６および電流源ユニットＵ１〜Ｕ４のＯＲ回路３０１には、４ビットの発光点数設定信号Ｌｃｎｔを送信する配線（＃４、＃３、＃２、＃１）が予め定められた組み合わせで接続されている。
そして、電流源ユニットＵ５〜Ｕ８のＯＲ回路３０１には、ＡＮＤ回路３０４、３０５、３０６によって演算された結果を送信する配線（＃３×＃４、＃２×＃４、＃１×＃４）が予め定められた組み合わせで接続されている。
そして、各電流源ユニットＵのＯＲ回路３０１の出力は、ＡＮＤ回路３０２の２つの入力端子の一方に接続されている。ＡＮＤ回路３０２の他方の入力端子は、点灯期間信号Ｐｅｒが入力される。
ＡＮＤ回路３０２の出力は、電流供給回路３０３のＩＮ端子に送信される。また、電流供給回路３０３のＣＵＲＩＮ端子には、電流Ｉｒｅｆ２（後述する図１３参照）が供給される。なお、図１０に示したように、基準電流Ｉｒｅｆ１は８個の電流供給回路３０３に均等に供給される。よって、電流Ｉｒｅｆ２は、基準電流Ｉｒｅｆ１／８となる。
また、点灯期間信号Ｐｅｒは、各電流供給回路３０３に並列に供給されている。
電流供給回路３０３のＯＵＴ端子からの配線は、一つに集線されて、φＪ端子に接続されている。
【０１３０】
次に、点灯制御信号供給部２０３が、４ビットの発光点数設定信号Ｌｃｎｔに基づいて、同時に点灯（発光）させようとする発光点（発光サイリスタＬ）数に応じた電流を設定できることを説明する。
表１は、発光点数に応じて、発光点数設定信号Ｌｃｎｔが設定する４ビットのビットパタン（ビット＃１〜ビット＃４の組み合わせ）の一例を示している。各ビット（＃１、＃２、＃３、＃４）の組み合わせにより各電流源ユニットＵ（Ｕ１〜Ｕ８）のオン／オフが設定される。
【０１３１】
【表１】
2011093162.tif 000003
【０１３２】
以下、論理回路においては、「Ｈ」を「１」、「Ｌ」を「０」と表記する。
例えば、発光点数が１の場合は、ビット＃１のみを「１」にし、他のビット＃２、＃３、＃４を「０」に設定する。すると、電流源ユニットＵ（Ｕ１〜Ｕ８）のそれぞれのＯＲ回路３０１において、ビット＃１が供給される入力端子のみが「１」になる。すなわち、電流源ユニットＵ１のＯＲ回路３０１の＃１と記載された入力端子のみが「１」になる。これにより、電流源ユニットＵ１のＯＲ回路３０１の出力が「１」になって、点灯期間信号Ｐｅｒが「１」である間、ＡＮＤ回路３０２の出力が「１」になる。電流供給回路３０３は後に詳述するが、電流源ユニットＵ１の電流供給回路３０３のＯＵＴ端子から電流がφＪ端子に供給される。しかし、他の電流源ユニットＵ２〜Ｕ８では、それぞれのＯＲ回路３０１の入力端子はすべて「０」であるため、ＯＲ回路３０１の出力は「０」のままとなる。そして、ＡＮＤ回路３０２の出力も「０」を維持する。これにより、これらの電流供給回路３０３のＯＵＴ端子からはφＪ端子に電流が供給されない。
よって、発光点数が１個の場合は、電流源ユニットＵ１のみから、電流源ユニットＵの１個分の単位電流ＩｕｎｉｔがφＪ端子に供給される。
【０１３３】
同様に、発光点数が２個の場合は、ビット＃３を「１」に設定し、他のビット＃１、＃２、＃４を「０」に設定する。すると、電流源ユニットＵ２およびＵ３のＯＲ回路３０１において＃３と記載された入力端子のみが「１」となる。これにより、電流源ユニットＵ２およびＵ３のＯＵＴ端子からそれぞれ単位電流Ｉｕｎｉｔが供給され、それらが重畳されることで２×単位電流Ｉｕｎｉｔの電流がφＪ端子に供給される。すなわち、発光点数２個に比例した電流がφＪ端子に供給される。
【０１３４】
発光点数が６個の場合は、ビット＃２と＃４とを「１」に設定し、他のビット＃１、＃３を「０」に設定する。すると、ＡＮＤ回路３０５の出力端子が「１」となる。そして、ＯＲ回路３０１の＃２および＃２×＃４と記載された入力端子のみが「１」となる。これにより、電流源ユニットＵ１、Ｕ２、Ｕ３、Ｕ４、Ｕ６、Ｕ７のＯＵＴ端子からそれぞれ単位電流Ｉｕｎｉｔが供給され、それらが重畳されることで６×単位電流ＩｕｎｉｔがφＪ端子に供給される。すなわち、発光点数６個に比例した電流がφＪ端子に供給される。
他の発光点数の場合も、同様である。なお、発光点数設定信号Ｌｃｎｔのビットパタンは表１に示したものに限らず、他の組み合わせもありうる。また、図１２に示す論理回路は、他の構成としてもよく、発光点数に比例した電流がφＪ端子に供給されればよい。
【０１３５】
また、図１２では、同じ構成の電流源ユニットＵを８個並べ、それぞれの電流源ユニットＵの供給する電流を同じ単位電流Ｉｕｎｉｔとした。しかし、それぞれの電流源ユニットＵが供給する電流の値を異なる値としてもよい。例えば、電流源ユニットＵから供給される電流が１、２、４、８の重みが付いたものとし、発光点数設定信号Ｌｃｎｔのビットパタンを、単位電流Ｉｕｎｉｔの０〜８倍が得られるように設定すればよい。
【０１３６】
（電流源ユニットにおける電流供給回路）
次に、電流源ユニットＵにおける電流供給回路３０３を説明する。
図１３は、電流供給回路３０３を説明するための回路図である。本実施の形態では、電流供給回路３０３はＣＭＯＳ回路で構成されている。
電流供給回路３０３は、入力端子がＩＮ端子に接続されたインバータ回路Ｉｎｖ１とカレントミラー回路ＣＭ２とを備える。
インバータ回路Ｉｎｖ１は、ｐチャネルトランジスタＰ２１とｎチャネルトランジスタＮ２１とを備える。
カレントミラー回路ＣＭ２は、直列接続されたｐチャネルトランジスタＰ２７およびＰ２８と、ｐチャネルトランジスタＰ２９とを備える。
【０１３７】
ｐチャネルトランジスタＰ２１とｎチャネルトランジスタＮ２１のそれぞれのゲート端子が接続されインバータ回路Ｉｎｖ１の入力端子を構成する。ｐチャネルトランジスタＰ２１とｎチャネルトランジスタＮ２１のそれぞれのドレイン端子が接続されインバータ回路Ｉｎｖ１の出力端子を構成する。ｐチャネルトランジスタＰ２１のソース端子はＶｃｃ端子に接続され、ｎチャネルトランジスタＮ２１のソース端子はＧＮＤ端子に接続されている。
インバータ回路Ｉｎｖ１の入力端子はＩＮ端子に接続され、出力端子は、ｐチャネルトランジスタＰ２７のゲート端子に接続されている。
ｐチャネルトランジスタＰ２７のソース端子はＯＵＴ端子に接続されている。ｐチャネルトランジスタＰ２７のドレイン端子はｐチャネルトランジスタＰ２８のソース端子に接続されている。ｐチャネルトランジスタＰ２８のソース端子はＶｓｕｂにＶｃｃ端子に接続されている。ｐチャネルトランジスタＰ２９のソース端子もＶｃｃ端子に接続されている。そして、ｐチャネルトランジスタＰ２８とＰ２９のゲート端子は共にＣＵＲＩＮ端子に接続されている。
【０１３８】
さて、図１１に示した基準電流発生部２０１のＣＵＲＩＮ端子から基準電流Ｉｒｅｆ１が引き込まれると、ｐチャネルトランジスタＰ２９に基準電流Ｉｒｅｆ１の１／８の電流Ｉｒｅｆ２が流れる。
【０１３９】
ここで、ＩＮ信号が「１」（「Ｈ」）であると、インバータ回路Ｉｎｖ１の出力端子が「Ｌ」になる。すると、ｐチャネルトランジスタＰ２７がオンとなり、カレントミラーにより電流Ｉｒｅｆ２に対応して単位電流ＩｕｎｉｔがｐチャネルトランジスタＰ２８およびｐチャネルトランジスタＰ２７を経由してＯＵＴ端子から流れ出す（電流オン）。
一方、ＩＮ信号が「０」（「Ｌ」）であると、インバータ回路Ｉｎｖ１の出力端子が「Ｈ」になり、ｐチャネルトランジスタＰ２７がオフとなるので、ＯＵＴ端子から電流は供給されない。
前述したように、ｐチャネルトランジスタＰ２９とｐチャネルトランジスタＰ２８とのそれぞれの相互コンダクタンスが同じであると、ＩＮ信号が「１」のときにＯＵＴ端子から供給される単位電流Ｉｕｎｉｔは、電流Ｉｒｅｆ２と同じになる。
すなわち、電流供給回路３０３は、ＩＮ信号が「１」（「Ｈ」）のとき、ＯＵＴ端子から単位電流Ｉｕｎｉｔを供給し、ＩＮ信号が「０」（「Ｌ」）のとき、ＯＵＴ端子から電流を供給しない。
【０１４０】
（点灯信号高速化部）
電流駆動により点灯信号φＩを供給する場合には、寄生容量のため電流がオフになるのに時間が必要である。そこで、点灯信号高速化部２０４は、点灯制御信号φＪを強制的にオン状態からオフ状態にする。
図１４は、点灯信号高速化部２０４を説明するための回路図である。本実施の形態では、点灯信号高速化部２０４はＣＭＯＳ回路で構成されている。
点灯信号高速化部２０４は、入力端子がＰｅｒ端子に接続されたインバータ回路Ｉｎｖ２と、ｎチャネルトランジスタＮ４３とを備える。
インバータ回路Ｉｎｖ２は、ｐチャネルトランジスタＰ４１とｎチャネルトランジスタＮ４１とを備える。
【０１４１】
ｐチャネルトランジスタＰ４１とｎチャネルトランジスタＮ４１のそれぞれのゲート端子が接続されインバータ回路Ｉｎｖ２の入力端子を構成する。ｐチャネルトランジスタＰ４１とｎチャネルトランジスタＮ４１のそれぞれのドレイン端子が接続されインバータ回路Ｉｎｖ２の出力端子を構成する。そして、ｐチャネルトランジスタＰ４１のソース端子はＶｃｃ端子に接続され、ｎチャネルトランジスタＮ４１のソース端子はＧＮＤ端子に接続されている。
インバータ回路Ｉｎｖ２の入力端子は、点灯期間信号Ｐｅｒが供給されるＰｅｒ端子に接続されている。インバータ回路Ｉｎｖ２の出力端子はｎチャネルトランジスタＮ４３のゲート端子に接続されている。ｎチャネルトランジスタＮ４３のソース端子はＧＮＤ端子に接続されている。一方、ｎチャネルトランジスタＮ４３のドレイン端子はφＪ端子に接続されている。
【０１４２】
点灯期間信号Ｐｅｒが「Ｈ」のときは、インバータ回路Ｉｎｖ２の出力は「Ｌ」となり、ｎチャネルトランジスタＮ４３はオフである。一方、Ｐｅｒ信号が「Ｌ」のときは、インバータ回路Ｉｎｖ２の出力は「Ｌ」で、ｎチャネルトランジスタＮ４３はオンである。
点灯期間Ｔｏｎが終了（点灯期間終了）するとき、点灯期間信号Ｐｅｒが「Ｈ」から「Ｌ」に移行する（図９参照）。すると、インバータ回路Ｉｎｖ２の出力も「Ｌ」から「Ｈ」になって、ｎチャネルトランジスタＮ４３がオフからオンになる。これにより、点灯制御信号φＪの電位は、電源電位Ｖｇａに引き込まれる。このようにして、点灯期間終了を検知して、点灯制御信号φＪの電位を強制的に電源電位Ｖｇａにすることで、点灯制御信号φＪのオン状態からオフ状態への変化を加速している。
なお、この点灯信号高速化部２０４では、点灯期間Ｔｏｎを設定する点灯期間信号Ｐｅｒを用いているので、新たな回路を設ける必要がない。
【０１４３】
（点灯信号供給回路）
次に、点灯信号供給回路１０１を説明する。
図１５は、点灯信号供給回路１０１を説明するための回路図である。本実施の形態では、点灯信号供給回路１０１はＣＭＯＳ回路で構成されている。
点灯信号供給回路１０１は、入力端子がφＪ端子に接続されたバッファ回路Ｂｕｆ１とカレントミラー回路ＣＭ３とを備える。
バッファ回路Ｂｕｆ１は、ｐチャネルトランジスタＰ３１とｎチャネルトランジスタＮ３１とで構成されたインバータ回路Ｉｎｖ３と、ｐチャネルトランジスタＰ３２とｎチャネルトランジスタＮ３２で構成されたインバータ回路Ｉｎｖ４とを備える。
カレントミラー回路ＣＭ３は、ＧＮＤ端子とＶｃｃ端子との間に直列に接続されたｐチャネルトランジスタＰ３３およびｎチャネルトランジスタＮ３３を備える。さらに、ｎチャネルトランジスタＮ３４を備える。
【０１４４】
ｐチャネルトランジスタＰ３１およびｎチャネルトランジスタＮ３１のそれぞれのゲート端子は接続され、インバータ回路Ｉｎｖ３の入力端子を構成する。ｐチャネルトランジスタＰ３１およびｎチャネルトランジスタＮ３１のそれぞれのドレイン端子は接続され、インバータ回路Ｉｎｖ３の出力端子を構成する。ｐチャネルトランジスタＰ３２およびｎチャネルトランジスタＮ３２のそれぞれのゲート端子は接続され、インバータ回路Ｉｎｖ４の入力端子を構成し、インバータ回路Ｉｎｖ３の出力端子に接続されている。ｐチャネルトランジスタＰ３２およびｎチャネルトランジスタＮ３２のそれぞれのドレイン端子は接続され、インバータ回路Ｉｎｖ４の出力端子を構成する。そして、ｐチャネルトランジスタＰ３１およびｐチャネルトランジスタＰ３２のそれぞれのソース端子はＶｃｃ端子に接続されている。ｎチャネルトランジスタＮ３１およびｎチャネルトランジスタＮ３２のそれぞれのソース端子はＧＮＤ端子に接続されている。
バッファ回路Ｂｕｆ１の入力端子でもあるインバータ回路Ｉｎｖ３の入力端子は点灯制御信号φＪが供給されるφＪ端子に接続されている。バッファ回路Ｂｕｆ１の出力端子でもあるインバータ回路Ｉｎｖ４の出力端子は、ｐチャネルトランジスタＰ３３のゲート端子に接続されている。ｐチャネルトランジスタＰ３３のドレイン端子はｎチャネルトランジスタＮ３３のドレイン端子に接続されている。そして、ｐチャネルトランジスタＰ３３のドレイン端子およびｎチャネルトランジスタＮ３３のドレイン端子は点灯信号φＩを供給するφＩ端子に接続されている。
ｎチャネルトランジスタＮ３４のゲート端子は、ｎチャネルトランジスタＮ３３のゲート端子およびｎチャネルトランジスタＮ３４のドレイン端子に接続され、φＪ端子に接続されている。
そして、ｐチャネルトランジスタＰ３１、Ｐ３２、Ｐ３３のソース端子はＶｃｃ端子に接続されている。一方、ｎチャネルトランジスタＮ３１、Ｎ３２、Ｎ３３、Ｎ３４のソース端子はＧＮＤ端子に接続されている。
【０１４５】
次に、点灯信号供給回路１０１の動作を説明する。前述したように、同時に点灯する発光点（発光サイリスタＬ）の数に応じて使用される電流源ユニットＵが選択され、選択された電流源ユニットＵのＯＵＴ端子から流れ出した単位電流Ｉｕｎｉｔは、重畳されて点灯制御信号φＪになる（図１２参照）。そして、点灯制御信号φＪはｎチャネルトランジスタＮ３４に流れ込む。このとき、図９に示すように、点灯制御信号φＪの電位は「Ｈ」であるので、ｐチャネルトランジスタＰ３３はオフになる。すると、ｎチャネルトランジスタＮ３４とｎチャネルトランジスタＮ３３との作るカレントミラーにより、ｎチャネルトランジスタＮ３４に流れる電流に対応する電流がφＩ端子からｎチャネルトランジスタＮ３３に引き込まれる。このφＩ端子から引き込まれる電流が点灯信号φＩとなって発光サイリスタＬを点灯させる。このとき、ｎチャネルトランジスタＮ３４とｎチャネルトランジスタＮ３３との相互コンダクタンスの比が１：１０であれば、ｎチャネルトランジスタＮ３４を流れる電流の１０倍の電流をφＩ端子から引き込むことができる。
【０１４６】
電流駆動により、点灯信号φＩを供給する場合には、寄生容量のため電流がオフになるのに時間が必要である。そこで、点灯信号供給回路１０１において、バッファ回路Ｂｕｆ１およびｐチャネルトランジスタＰ３３を備えている。
点灯制御信号φＪの電流が減少して、点灯制御信号φＪの電位が「Ｈ」から「Ｌ」側に移動し、インバータ回路Ｉｎｖ３のしきい値を越える（しきい値より負になる）と、ｐチャネルトランジスタＰ３３のゲート端子の電位が「Ｌ」になり、ｐチャネルトランジスタＰ３３がオンする。これにより、φＩ端子の電位が強制的に「Ｈ」（基準電位Ｖｓｕｂ）になり、点灯信号φＩがオフになる。
すなわち、バッファ回路Ｂｕｆ１は、点灯制御信号φＪの電位がインバータ回路Ｉｎｖ３のしきい値を越えることで、点灯制御信号φＪの電位の変化を検知し、ｐチャネルトランジスタＰ３３をオンにし、点灯信号φＩを「Ｈ」（基準電位Ｖｓｕｂ）に設定する。これにより、点灯していた発光サイリスタＬのバイポーラトランジスタのベース層に蓄積された電荷を引き抜くことで、発光サイリスタＬがオフ状態になるのを加速している。
【０１４７】
一方、点灯期間Ｔｏｎ終了時に、点灯制御信号φＪは「Ｈ」から「Ｌ」へと変化する（図９参照）。すると、図１５に示す点灯信号供給回路１０１では、点灯制御信号φＪが「Ｈ」から「Ｌ」へと変化する電位の途中において、ｎチャネルトランジスタＮ３４に電流が流れなくなる。
点灯制御信号φＪは、ｎチャネルトランジスタＮ３４のゲート端子およびドレイン端子に接続されていると共に、インバータ回路Ｉｎｖ３のｐチャネルトランジスタＰ３１とｎチャネルトランジスタＮ３１のゲート端子とにも接続されている。このため、点灯制御信号φＪが「Ｈ」から「Ｌ」へと変化する中間の電位において、インバータ回路Ｉｎｖ３の状態が反転し、バッファ回路Ｂｕｆ１の出力も「Ｈ」から「Ｌ」になる。すると、ｐチャネルトランジスタＰ３３がオンになり、もはや点灯信号φＩを引き込むことができなくなる。このため、点灯期間Ｔｏｎが短くなってしまう。
インバータ回路Ｉｎｖ３のしきい電圧を「Ｌ」側にシフトすれば、ｐチャネルトランジスタＰ３３がオンになる電位を「Ｌ」に近い電位に設定しうる。これにより、点灯期間Ｔｏｎが短くなることを抑制しうる。これには、インバータ回路Ｉｎｖ３を構成するｎチャネルトランジスタＮ３１の相互コンダクタンスを、ｐチャネルトランジスタＰ３１の相互コンダクタンスより大きくすればよい。例えば、ｎチャネルトランジスタＮ３１のＷ／Ｌ比を、ｐチャネルトランジスタＰ３１のＷ／Ｌ比より大きくすればよい。
しかし、ｎチャネルトランジスタＮ３１のＷ／Ｌ比を大きくするため、Ｗを大きくすると、電気容量が増加し、点灯信号供給回路１０１の速度が低下するおそれがある。
【０１４８】
図１６は、点灯信号供給回路１０１の他の回路構成を説明するための回路図である。
図１６に示す点灯信号供給回路１０１は、図１５に示した点灯信号供給回路１０１のφＪ端子とバッファ回路Ｂｕｆ１との間にレベルシフト回路Ｌｅｖを設けている。これにより点灯信号供給回路１０１の速度の低下を抑制する。
レベルシフト回路Ｌｅｖは、接続点Ｄ１３にて直列接続されたｐチャネルトランジスタＰ３４およびＰ３５と、シフト電圧を発生する電源Ｖｓｈとを備える。
ｐチャネルトランジスタＰ３４のドレイン端子とｐチャネルトランジスタＰ３５のソース端子とが接続点Ｄ１３で接続され、ｐチャネルトランジスタＰ３４のソース端子がＧＮＤ端子に、ｐチャネルトランジスタＰ３５のドレイン端子がＶｃｃ端子に接続さている。
電源Ｖｓｈは、ｐチャネルトランジスタＰ３５のゲート端子にＶｃｃ端子の基準電位Ｖｓｕｂより低い電位を供給し、ｐチャネルトランジスタＰ３５を常にオンに設定している。
【０１４９】
点灯制御信号φＪが「Ｈ」であるときは、ｐチャネルトランジスタＰ３４がオフになり、ｐチャネルトランジスタＰ３５のソース端子（接続点Ｄ１３）の電位は基準電位Ｖｓｕｂ（「Ｈ」）となる。よって、バッファ回路Ｂｕｆ１の入力端子（接続点Ｄ１３）が「Ｈ」となり、バッファ回路Ｂｕｆ１の出力端子が「Ｈ」になって、ｐチャネルトランジスタＰ３３をオフにする。これにより、点灯制御信号φＪによりｎチャネルトランジスタＮ３４に流れる電流に対応した電流（点灯信号φＩ）が、φＩ端子からｎチャネルトランジスタＮ３３に引き込まれる。
一方、点灯制御信号φＪが「Ｈ」から「Ｌ」へと移行すると、「Ｈ」と「Ｌ」との間の電位でｐチャネルトランジスタＰ３４がオンになるが、接続点Ｄ１３の電位は、ｐチャネルトランジスタＰ３４とＰ３５との相互コンダクタンスの比で設定される。よって、点灯制御信号φＪの「Ｈ」から「Ｌ」への変化に対して、接続点Ｄ１３の電位の変化を「Ｈ」側にシフトさせれば、ｐチャネルトランジスタＰ３３がオンになるタイミングが遅れることになる。これにより、点灯期間Ｔｏｎが短くなることを抑制しうる。なお、「Ｈ」側にシフトさせるとは、点灯制御信号φＪが「Ｈ」と「Ｌ」との中間の値になっても、接続点Ｄ１３の電位が中間の値より「Ｈ」側の値になっていることをいう。
ＭＯＳトランジスタのバックゲート効果により、電位のシフトが大きくなりすぎる場合には、ｐチャネルトランジスタＰ３４のソース端子と基板とを分離することも有効である。
【０１５０】
本実施の形態では、電流源ユニットＵをカレントミラーを用いて構成しているが、アンプを用いて負帰還で構成することもできる。しかし、数十ＭＨｚ以上の応答速度を得るためには、カレントミラーを用いることが好ましい。
【０１５１】
さて、発光チップＣにおける点灯信号線７５の配線抵抗は、大きい場合で１０Ωと見積もられる。点灯している１個の発光サイリスタＬには１０ｍＡの点灯電流が流れる。このような場合、５０倍以上の出力インピーダンスで電流駆動すれば、配線抵抗の影響を抑制できる。すなわち、図１５に示す点灯信号供給回路１０１の出力インピーダンスは、５００Ω以上であることが好ましい。
なお、点灯信号供給回路１０１の出力インピーダンスは、ｐチャネルトランジスタまたはｎチャネルトランジスタのソース側に抵抗を入れたり、ｐチャネルトランジスタまたはｎチャネルトランジスタを、ｐチャネルトランジスタＰ３３とｎチャネルトランジスタＮ３３とに直列に接続したりすることで設定しうる。
【０１５２】
ここでは、点灯期間設定部２０２について、詳細な説明を省略するが、点灯期間設定部２０２が発生する点灯期間信号Ｐｅｒは、図９に示したように、点灯期間Ｔｏｎの開始時点（時刻ｍ）において、「Ｌ」から「Ｈ」に移行し、終了時点（時刻ｐ）において、「Ｈ」から「Ｌ」に移行する信号であるので、容易に生成することができる。
また、記憶信号φｍの生成回路についても、詳細な説明を省略するが、記憶信号φｍを「Ｈ」に設定するときは、基準電位Ｖｓｕｂが供給され、「Ｌ」に設定するときは、電源電位Ｖｇａが供給され、「Ｓ」に設定するときは、基準電位Ｖｓｕｂと電源電位Ｖｇａとの間で、記憶サイリスタＭのオン状態を維持できる電位を作成して供給すればよい。記憶信号φｍに基づいて、これらの電位（「Ｈ」、「Ｌ」、「Ｓ」）を切り替えて供給する回路は、ＣＭＯＳ回路等により容易に構成しうる。
【０１５３】
なお、本実施の形態では、発光チップＣの発光点が１２８であるとして説明したが、発光点の数は任意に設定しうる。また、発光チップＣには、ＳＬＥＤが１個搭載されているとしたが、ＳＬＥＤが複数搭載されていてもよい。
また、本実施の形態では、直列に接続した４個の発光チップＣ当たり１本の点灯信号φＩおよび記憶信号φｍを設けた。しかし、４個を越える発光チップＣの数を直列に接続してもよい。また、点灯信号φＩは、必ずしも直列に接続した発光チップ群ＣＧに対して設定する必要はない。例えば、発光装置６５に対して点灯信号φＩを１本のみ設けてもよい。その点灯信号φＩによって、同時に点灯させようとする発光点（発光サイリスタＬ）の数に応じて、点灯電流を供給できればよい。
【０１５４】
なお、本実施の形態に示した回路構成は、一例であって、他の回路構成を用いてもよい。また、本実施の形態ではＣＭＯＳ回路を用いたが、ＣＭＯＳ回路に限定されることはなく、ｎチャネルトランジスタまたはｐチャネルトランジスタの単チャネルトランジスタを用いた回路であってもよく、バイポーラトランジスタ回路であってもよい。
また、本実施の形態では、アノード端子を基板としたアノードコモンのサイリスタ（転送サイリスタＴ、記憶サイリスタＭ、発光サイリスタＬ）について説明した。カソード端子を基板とした、カソードコモンのサイリスタ（転送サイリスタＴ、記憶サイリスタＭ、発光サイリスタＬ）においても、回路の極性を変更することによって用いうる。
【符号の説明】
【０１５５】
１…画像形成装置、１０…画像形成プロセス部、１１…画像形成ユニット、１２…感光体ドラム、１４…プリントヘッド、３０…画像出力制御部、４０…画像処理部、６２…回路基板、６３…発光部、６４…ロッドレンズアレイ、６５…発光装置、１００…信号発生回路、１０１…点灯信号供給回路、１１０…点灯制御信号発生部、１２０…転送信号発生部、１３０…記憶信号発生部、２０１…基準電流発生部、２０２…点灯期間設定部、２０３…点灯制御信号供給部、２０４…点灯信号高速化部、φ１…第１転送信号、φ２…第２転送信号、φｍ１〜φｍ１０…記憶信号、φＪ１〜φＪ１０…点灯制御信号、φＩ１〜φＩ１０…点灯信号、Ｃ１〜Ｃ４０…発光チップ、Ｔ１、Ｔ２、…、Ｔ１２８…転送サイリスタ、Ｍ１、Ｍ２、…、Ｍ１２８…記憶サイリスタ、Ｌ１、Ｌ２、…、Ｌ１２８…発光サイリスタ、Ｄｓ…スタートダイオード
【図１】
2011093162.tif 000004
【図２】
2011093162.tif 000005
【図３】
2011093162.tif 000006
【図４】
2011093162.tif 000007
【図５】
2011093162.tif 000008
【図６】
2011093162.tif 000009
【図７】
2011093162.tif 000010
【図８】
2011093162.tif 000011
【図９】
2011093162.tif 000012
【図１０】
2011093162.tif 000013
【図１１】
2011093162.tif 000014
【図１２】
2011093162.tif 000015
【図１３】
2011093162.tif 000016
【図１４】
2011093162.tif 000017
【図１５】
2011093162.tif 000018
【図１６】
2011093162.tif 000019